(57)【要約】      （修正有）【課題】隠れノードの問題に対処するための高度ＴＰＣ／ＯＢＳＳ＿ＰＤ適応方法を提供する。【解決手段】ネットワーク内の伝送チャネルを通じたワイヤレス通信を管理するためのデバイスおよび方法であって、受信信号強度値のセットが、ネットワーク内で伝送チャネルを通じて送信される信号について取得される。受信信号強度値のセットのうちの最低受信信号強度値が、決定される。伝送チャネルの送信電力が所定の送信電力から低減され得る最大限度が決定され、最大限度は最低受信信号強度値に基づく。【選択図】図７
2018046554.tif 000002
【特許請求の範囲】
【請求項１】
ネットワーク内の伝送チャネルを通じたワイヤレス通信を管理するためのデバイスであって、
前記ネットワーク内で前記伝送チャネルを通じて送信される信号の受信信号強度値のセットを取得することと、
前記受信信号強度値のセットのうちの最低受信信号強度値を決定することと、
前記伝送チャネルの送信電力が所定の送信電力から低減され得る最大限度を決定することと
を行うように構成されたコントローラを備え、
前記最大限度は、前記最低受信信号強度値に基づく、
デバイス。
【請求項２】
前記最大限度が、前記最低受信信号強度値と既定義閾値との差になるように決定される、請求項１に記載のデバイス。
【請求項３】
前記デバイスがさらに、前記ネットワーク内の無線局と前記伝送チャネルを通じてワイヤレスに通信するためのワイヤレスインターフェースを備え、
受信信号強度値のセットを取得することが、
前記ネットワーク内の第１のセットの局からの信号を前記ワイヤレスインターフェースを介して前記伝送チャネルを通じて受信することと、
対応する受信信号強度値を信号毎に決定することと
を備える、
請求項１または請求項２に記載のデバイス。
【請求項４】
前記コントローラがさらに、
前記ネットワークの外からの第１の信号を前記ワイヤレスインターフェースを介して前記伝送チャネルを通じて受信することと、
前記ネットワークの外から受信された前記第１の信号に対応する第１の受信信号強度値を決定することと、
前記第１の受信信号強度値が第１の閾値より大きいかどうかを決定することと、
前記第１の受信信号強度値が前記第１の閾値以下であることに応じて、前記ワイヤレスインターフェースが前記送信電力で前記ネットワーク内の局に送信することを許可することと
を行うように構成された、請求項３に記載のデバイス。
【請求項５】
前記コントローラがさらに、前記第１の受信信号強度値が前記第１の閾値より大きいことに応じて、
前記最大限度が前記第１の受信信号強度値と既定義閾値との差より大きいかどうかを決定することと、
前記最大限度が前記差より大きいことに応じて、
前記第１の閾値が前記第１の受信信号強度値より大きく、かつ前記第１の閾値が第１の量だけ前記既定義閾値より大きくなるように、前記第１の閾値を増やすことと、
前記第１の量だけ前記所定の送信電力より少なくなるように前記送信電力をセットすることと、
前記ワイヤレスインターフェースが前記送信電力で前記ネットワーク内の局に送信することを許可することと
を行うように構成された、請求項４に記載のデバイス。
【請求項６】
前記コントローラがさらに、前記最大限度が前記差以下であることに応じて、前記第１の信号の持続期間について、前記ワイヤレスインターフェースを介する、チャネルを通じた前記デバイスからの送信を抑止するように構成された、請求項５に記載のデバイス。
【請求項７】
前記コントローラが、前記送信に前記送信電力の指示を含めるように構成され、ここにおいて、前記指示が、空間再利用識別子、空間再利用電力値、前記送信電力、既定義送信電力および前記第１の量のうちの１つまたは複数を備える、請求項５または請求項６に記載のデバイス。
【請求項８】
対応する受信信号強度値を信号毎に決定することが、
前記信号が前記信号の前記送信電力が低減された第２の量の指示を含むかどうかを決定することと、
前記信号が前記第２の量の指示を含むという決定に応じて、前記信号の受信信号強度および前記第２の量に基づいて、予測受信信号強度値を決定し、前記対応する受信信号強度値を前記予測受信信号強度値と等しくなるようにセットすることと、
前記信号が前記第２の量の指示を含まないという決定に応じて、前記対応する受信信号強度値を前記受信信号強度と等しくなるようにセットすることと
を備える、請求項３乃至請求項７のいずれかに記載のデバイス。
【請求項９】
各信号が、対応する空間再利用電力値を含み、
前記デバイスが、メモリをさらに備え、
受信信号強度値のセットを取得することが、
前記第１のセットの局毎に、それぞれの空間再利用電力値およびそれぞれの受信信号強度値を前記メモリに記憶することと、
前記第１のセットの局のうちの１つからの、さらなる空間利用電力値を備えるさらなる信号を前記ワイヤレスインターフェースを介してチャネルを通じて受信することと、
前記さらなる信号のさらなる受信信号強度値を決定することと、
前記さらなる空間再利用電力値が前記メモリに記憶された前記それぞれの空間再利用電力値より大きいかどうかおよび／または前記さらなる受信信号強度値が前記メモリに記憶された前記それぞれの受信信号強度値より大きいかどうかを決定することと、
前記さらなる空間再利用電力値が前記メモリに記憶された前記それぞれの空間再利用電力値より大きいという決定および／または前記さらなる受信信号強度値が前記メモリに記憶された前記それぞれの受信信号強度値より大きいという決定に応じて、前記さらなる空間再利用電力値と前記さらなる受信信号強度電力値とを前記メモリに記憶することと
を備え、
前記受信信号強度値のセットのうちの最低受信信号強度値を決定することが、前記メモリに記憶された、前記第１のセットの局の前記受信信号強度値から前記最低受信信号強度値を決定することを備える、
請求項３乃至請求項８のいずれかに記載のデバイス。
【請求項１０】
前記コントローラが、
前記ネットワーク内の複数の局の各々について、それぞれの局によって受信された信号に基づいて計算されたさらなる最大限度を取得することと、
第１の局の前記最大限度を前記複数の局の前記さらなる最大限度のうちの最小値と等しくなるようにセットすることと
を行うように構成された、請求項１に記載のデバイス。
【請求項１１】
受信信号強度値のセットを取得することが、前記ネットワーク内の他の無線局から前記伝送チャネルを通じて前記無線局によって受信された信号に対応する受信信号強度値の第１のセットを前記ネットワーク内の無線局から受信することを備え、
前記デバイスがさらに、前記最大限度を前記無線局に送るように構成された、
請求項１に記載のデバイス。
【請求項１２】
前記受信信号強度値のセットが、前記ネットワーク内の他の無線局から前記伝送チャネルを通じて第１の無線局によって受信された信号に対応する受信信号強度値の第１のセットを備え、
ここにおいて、前記最低受信信号強度値を決定することが、前記受信信号強度値の第１のセットのうちの前記最低受信信号強度値を決定することを備える、または、
ここにおいて、受信信号強度値のセットを取得することがさらに、１つまたは複数のさらなる無線局によって前記ネットワーク内の他の無線局から前記伝送チャネルを通じて受信された信号に対応する受信信号強度値の第２のセットを前記１つまたは複数のさらなる無線局から受信することを備え、前記最低受信信号強度値を決定することが、前記第１のセットおよび第２のセットから前記最低受信信号強度値を決定することを備える、
請求項１に記載のデバイス。
【請求項１３】
ネットワーク内の伝送チャネルを通じたワイヤレス通信を管理するためのデバイスであって、
ワイヤレスインターフェースと、
前記ネットワークの外からの第１の信号を前記ワイヤレスインターフェースを介して前記伝送チャネルを通じて受信することと、
前記ネットワークの外から受信された信号に対応する第１の受信信号強度値を決定することと、
前記第１の受信信号強度値が第１の閾値より大きいかどうかを決定することと、
前記第１の受信信号強度値が前記第１の閾値より大きいことに応じて、
最大限度が前記第１の受信信号強度値と既定義閾値との差より大きいかどうかを決定することと、
前記最大限度が前記差より大きいことに応じて、
前記第１の閾値が前記第１の受信信号強度値より大きく、かつ前記第１の閾値が第１の量だけ前記既定義閾値より大きくなるように、前記第１の閾値を増やすことと、
前記第１の量だけ所定の送信電力より少なくなるように前記伝送チャネルの送信電力をセットすることと
前記ワイヤレスインターフェースが、前記伝送チャネルを通じて前記送信電力で前記ネットワーク内の局に送信することを許可することと
を行うように構成されたコントローラと
を備える、デバイス。
【請求項１４】
前記コントローラが、
前記第１の受信信号強度値が前記第１の閾値以下であることに応じて、前記ワイヤレスインターフェースが前記伝送チャネルを通じて前記送信電力で前記ネットワーク内の局に送信することを許可することと、
前記最大限度が前記差以下であることに応じて、前記第１の信号の持続期間に前記伝送チャネルを通じた前記ワイヤレスインターフェースを介する前記デバイスからの送信を抑止することと
を行うように構成された、請求項１３に記載のデバイス。
【請求項１５】
前記コントローラが、
前記伝送チャネルを通じて、前記ワイヤレスインターフェースを介して、前記ネットワーク内の無線局から信号を受信することと、
受信信号に対応する受信信号強度値のセットを決定することと、
前記受信信号強度値のセット、または前記受信信号強度値のセットのうちの最低受信信号強度値を前記ワイヤレスインターフェースを介して前記ネットワーク内のアクセスポイントに送信することと、
前記伝送チャネルの送信電力が所定の送信電力から低減され得る最大限度を前記ワイヤレスインターフェースを介して前記アクセスポイントから受信することと
を行うように構成され
限度が前記受信信号強度値のセットうちの前記最低受信信号強度値に基づく、
請求項１３に記載のデバイス。
【発明の詳細な説明】
【技術分野】
【０００１】
本開示は、ネットワーク内のワイヤレス通信を管理するためのデバイスおよび方法に関する。
【背景技術】
【０００２】
ワイヤレスローカルエリアネットワーク（ＷＬＡＮ）技術は、最近１０年間で極めて成熟し、さらに、それは十分に機能し続け、それが最も基本的なサービスについて受け入れ可能な性能を届けようと努めるシナリオが存在する。ＷＬＡＮの成功により、ワイヤレスネットワークは、大量のトラフィック需要に合わせるためにますます密になっている。高い密度、特に重複する基本サービスセット（ＯＢＳＳ：overlapping basic service set）、によるいくつかの問題に対処することが現在のワイヤレスネットワークにとっての課題である。
【０００３】
概して、ワイヤレスネットワークは、無線局（ＳＴＡ）がワイヤードネットワークにワイヤレスに接続することを可能にするワイヤレスアクセスポイント（ＡＰ）を備える。無線局は、ワイヤレスに、たとえば８０２．１１ワイヤレスプロトコルを介して、ワイヤレスネットワークに接続する能力を有するデバイスである。ワイヤレスアクセスポイント（ＡＰ）は、局の機能を有するが、ネットワーク内のすべての分散する局の管理もまた行い、ワイヤードネットワークに接続してワイヤレスネットワーク内の局にワイヤードネットワークへのアクセスを提供することができる。アクセスポイントおよび局はともに、ワイヤレスネットワーク内のノードの類型であり、その中で、それらはワイヤレスメッセージの送信と受信の両方を行うことができる。したがって、アクセスポイントは、無線局の類型である。
【０００４】
ワイヤレス性能低下の主要な原因の１つは、ＷＬＡＮが通常動作する無許可の帯域におけるデバイスの過密である。これは、特に、アパート、会議場およびショッピングセンターなど、高密度展開環境においてリスクである。密度の増加は、２つのワイヤレス送信の間の衝突の尤度を軽減するためのステップがとられない限りこの尤度を増やす。
【０００５】
その衝突の可能性の低減を試みる１つの手法は、局（ＳＴＡ）については、チャネルを使用する前に、チャネルを感知して、そのチャネルが使用されるためにクリアであるかを決定することである。これは、しばしば、クリアチャネルアセスメント（ＣＣＡ：clear channel assessment）閾値、他のＳＴＡからの着信伝送に対する局の感度を定義するために使用されるパラメータ、によって管理される。ＣＣＡ閾値より低い受信信号強度を有する信号が受信された場合、次いで、その信号は無視され、局はチャネルを通じて自由に送信することができる。したがって、ＣＣＡ閾値が高いほど、デバイスはワイヤレス信号に対してより敏感でなくなる。信号の出所が未知である（すなわち、信号がネットワーク内またはネットワーク外のいずれから生じるかが分からない）とき、ＣＣＡ閾値が適用される。
【０００６】
近隣ネットワーク間の衝突を防ぐさらなる方法は、各ネットワークに異なる「色」を割り当てる。単一ネットワーク（またはセル）は、少なくとも１つのアクセスポイントと１つの局とを備える、単一基本サービスセット（ＢＳＳ：basic service set）である。各ＢＳＳは、ＢＳＳ内の局に通信される色を割り当てられる。ネットワーク内の局またはアクセスポイントが送信するとき、それは、ネットワークの色のインジケータを含む。局またはアクセスポイント（受信デバイス）が、この情報を受信するとき、それは、受信データにおいて指示された色が、その受信デバイスが動作しているネットワークの色と同じであるかどうかを検査する。信号が、ネットワーク内から生じている場合、次いで、受信局は、その信号の継続期間についてそのチャネルをビジーにセットする（送信を抑止する）。
【０００７】
信号が、ネットワーク外から生じている場合、次いで、受信局は、閾値（ＯＢＳＳプリアンブル検出（ＯＢＳＳ＿ＰＤ：OBSS Preamble Detect）閾値として知られる）を実装して、チャネルをビジーにセットするかどうかを決定することができる。受信された送信の色が異なる場合（すなわち、信号がネットワーク外から生じている場合）、受信信号強度がＯＢＳＳ＿ＰＤ閾値よりも大きければ、チャネルはビジーにセットされる。そうでない場合、チャネルはクリアにセットされ、受信信号は無視される。これは、局およびアクセスポイントが、それらのネットワーク外のデバイスからの信号を無視することを可能にする。本出願では、信号の出所が未知であるときに信号についてセットされる閾値は、ＣＣＡ閾値と呼ばれ、一方、ネットワーク外からの信号についてセットされる閾値は、ＯＢＳＳ＿ＰＤ閾値と呼ばれる。
【０００８】
動的感度制御は、空間再利用を改善するための方法である。本発想は、ＯＢＳＳプリアンブル検出（ＯＢＳＳ＿ＰＤ）閾値を増やすことによって近隣セル（重複基本サービスセットまたはＯＢＳＳと称される）において生じる送信に耳を貸さないことである。しかしながら、これは、ＯＢＳＳ送信の存在を無視する問題に対処するに過ぎない。それは、同時並列送信（空間再利用またはＳＲ送信と称される）に従事する近隣ネットワークへの影響を制限することを何ら行わない。
【０００９】
ノードがＯＢＳＳ送信を聞くことができる場合、自らの送信もまたＯＢＳＳ送信の発信者によっておそらく聞かれ得る。したがって、これらの両方の送信の成功の尤度を最大にするために、他方のノードがそれのＯＢＳＳ＿ＰＤ閾値を増やしてＯＢＳＳ送信を無視することだけではなく、ＳＲ送信がＯＢＳＳ送信への干渉をもたらさないように、それの送信電力を減らすこともまた必要である。ノードによる送信の電力は、送信電力制御機構によって制御される。送信電力制御（ＴＰＣ）とＯＢＳＳ＿ＰＤの両方が、空間再利用を無事に達成するために同じマージンによって同時に適合させられ得る。
【００１０】
したがって、「Ｍ」という送信電力の減少は、「Ｍ」というＯＢＳＳ＿ＰＤ閾値の対応する増加と同時に起こり得、逆もまた同様である。とはいえ、ＭｙＢＳＳノード間で感知するキャリアがないことが、衝突と不公平な媒体アクセスとをもたらし得るので、送信電力のそのような減少は、同セル内のノード（ＭｙＢＳＳと称される）が、その送信電力を減らしているＭｙＢＳＳノードからの送信を聞くことができない結果をもたらし得る。
【発明の概要】
【００１１】
したがって、近隣ネットワークとの干渉を回避するがネットワーク内の性能を維持するネットワーク内のワイヤレス送信を管理する改良された手段が必要とされている。
【００１２】
本発明の一手順（ａｒｒａｎｇｅｍｅｎｔｓ）は、単に例として行われ、以下のような図面と併用される、以下の詳細な説明からより完全に理解および評価されよう。
【図面の簡単な説明】
【００１３】
【図１】２つのネットワークを備える例示的トポロジーを示す図。
【図２】送信電力の低下が隠れ端末の問題をどのようにもたらし得るかを強調表示する図。
【図３】一手順による送信電力を調整する第１の方法を示す図。
【図４】第１の方法が使用されるさらなるシナリオを示す図。
【図５】第１の方法による空間再利用送信における送信電力広告を示す図。
【図６（ａ）】無線局において限度を割り当てる第１の方法を示す図。
【図６（ｂ）】ワイヤレスアクセスポイントにおいて限度を割り当てる第１の方法を示す図。
【図７】一手順による送信電力とクリアチャネルアセスメント閾値とを変化させるための方法を示す図。
【図８】アクセスポイントがそれのネットワーク内の局の限度を計算および広告する一手順を示す図。
【図９】最低限度値がネットワーク内のすべての局に適用され、各局が単一ビット識別子を使用してそれが最低限度値を適用したかどうかを広告する一手順を示す図。
【図１０】一手順による送信電力を調整する第２の方法を示す図。
【図１１】送信電力の低減が隠れ端末の問題をどのようにもたらし得るかを強調表示する図。
【図１２】一手順による限度を決定する第２の方法を示す図。
【図１３】第２の方法による限度の計算を示す図。
【図１４】第２の方法による限度の広告を示す図。
【図１５】第２の方法によるＯＢＳＳ＿ＰＤ閾値をセットするための第１のシナリオを示す図。
【図１６】第２の方法によるＯＢＳＳ＿ＰＤ閾値をセットするためのさらなるシナリオを示す図。
【図１７】一手順による送信電力を調整する第３の方法を示す図。
【図１８】第３の方法によるノードがそれぞれの限度を決定するためのシーケンスを示す図。
【図１９】ノードが空間再利用送信に従事しない第３の方法による一手順を示す図。
【図２０】ノードが空間再利用送信に従事する第３の方法による一手順を示す図。
【図２１】一手順による第３の方法を示す図。
【図２２（ａ）】一手順による無線局を示す図。
【図２２（ｂ）】一手順によるワイヤレスアクセスポイントを示す図。
【発明を実施するための形態】
【００１４】
第１の一手順によれば、ネットワーク内の伝送チャネルを通じたワイヤレス通信を管理するためのデバイスが提供される。本デバイスは、ネットワーク内で伝送チャネルを通じて送信される信号の受信信号強度値のセットを取得し、その受信信号強度値のセットのうちの最低受信信号強度値を決定し、伝送チャネルの送信電力が所定の送信電力から低減され得る最大限度を決定するように構成されたコントローラを備え、その最大限度は最低受信信号強度値に基づく。
【００１５】
送信電力が低減され得る最大限度をセットすることによって、本手順は、そのネットワーク内の局がチャネルを通じて送信を漏れ聞くことができない結果をもたらすほど送信電力が低減され過ぎないことを確保する。したがって、これは、ネットワーク内の衝突の回避を助ける。
【００１６】
本手順は、ネットワーク内の複数の局の１つまたは複数の最大限度を計算するデバイスよび／または自らの最大限度を計算することができる局に関し得る。したがって、本デバイスは、ネットワーク内の局、ネットワーク内のアクセスポイント、あるいは、ネットワーク内の局および／またはアクセスポイントと通信することができる後置デバイスでもよい。
【００１７】
異なる限度および送信電力が、それぞれのチャネルを通じて受信される信号に基づいて異なる伝送チャネルについて計算され得る。各受信信号強度値は、受信信号の強度または電力の任意の指示、たとえば受信信号強度インジケータ（ＲＳＳＩ：received signal strength indicator）または受信チャネル電力インジケータ（ＲＣＰＩ）、でもよい。ネットワーク内で送信される信号は、ネットワーク内の局の間で送信される信号である。所定の送信電力は、デフォルトおよび／または最大送信電力でもよい。最大限度は、最小送信電力（すなわち、最大限度によって低減されたデフォルト送信電力）を定義すると考えられ得る。
【００１８】
さらなる手順では、最大限度は、最低受信信号強度値と既定義閾値との差となるように決定される。既定義閾値は、デフォルト重複基本サービスセットプリアンブル検出（ＯＢＳＳ＿ＰＤ）閾値でもよい。１つの手順では、デフォルト閾値は、最小の検出可能な信号、たとえば−８２ｄＢｍ、である。
【００１９】
さらなる手順によれば、本デバイスは、ネットワーク内の無線局と伝送チャネルを通じてワイヤレスに通信するためのワイヤレスインターフェースをさらに備える。受信信号強度値のセットを取得することは、そのネットワーク内の第１のセットの局からの信号をワイヤレスインターフェースを介して伝送チャネルを通じて受信することと、対応する受信信号強度値を信号毎に決定することとを備える。したがって、本デバイスは、ネットワーク内の局（またはアクセスポイント）でもよい。本デバイスは、自らの最大限度を計算する、またはネットワーク内の別の局によって使用するための最大限度を計算することができる。受信信号が、デバイスに向けられる必要はない（すなわち、ネットワーク内の他の局の間の送信が、漏れ聞かれ得る）。
【００２０】
さらなる手順によれば、コントローラはさらに、ネットワーク外からの第１の信号をワイヤレスインターフェースを介して伝送チャネルを通じて受信し、そのネットワーク外から受信された第１の信号に対応する第１の受信信号強度値を決定し、第１の受信信号強度値が第１の閾値より大きいかどうかを決定し、第１の受信信号強度値が第１の閾値以下であることに応じて、ワイヤレスインターフェースがその送信電力でネットワーク内の局に送信することを許可するように構成される。
【００２１】
第１の閾値は、ＯＢＳＳ＿ＰＤ閾値でもよい。したがって、本デバイスは、ネットワーク外からの信号が第１の閾値以下の受信信号強度で受信されたときに空間再利用送信を許可し得る。これは、第１の信号の受信と同時の送信を可能にする。ワイヤレスインターフェースが送信することを可能にすることは、伝送チャネルがクリアであると決定することを備え得る。ワイヤレスインターフェースは、実際に送信しなくてもよい（パケットが送信のための待ち行列に入れられないことがあるので）。空間再利用送信を可能にするとき、本デバイスは、チャネルがネットワーク内で送信される信号からクリアであることを検査する必要がやはりあり得る。本デバイスは、信号に含まれる基本サービスセット（ＢＳＳ）色またはＭＡＣアドレスに基づいて、第１の信号がネットワーク外からであるかどうかを決定することができる。
【００２２】
さらなる手順によれば、コントローラはさらに、第１の受信信号強度値が第１の閾値より大きいことに応じて、最大限度が第１の受信信号強度値と既定義閾値との差より大きいかどうかを決定することと、最大限度がその差より大きいことに応じて：第１の閾値が第１の受信信号強度値より大きく、第１の閾値が第１の量だけ既定義閾値より大きくなるように、第１の閾値を増やし、第１の量だけ所定の送信電力より少なくなるように送信電力をセットすることとを行うように構成される。コントローラはさらに、ワイヤレスインターフェースがその送信電力でネットワーク内の局に送信することを許可するように構成される。
【００２３】
したがって、送信電力が最大限度内で低減され得る場合、本デバイスは、減らされた送信電力での空間再利用送信を可能にする（ネットワーク外の通信と干渉することを避けるために）。第１の閾値は、第１の信号を除去するために、対応する量だけ増やされる。これは、ネットワーク内の衝突の増加をもたらす、送信電力が減らされ過ぎることを避けながら、空間再利用送信が生じる（ネットワークの効率を向上させるために）ことを確保する。第１の閾値は、ＯＢＳＳ＿ＰＤ閾値でもよく、既定義の第１の閾値は、デフォルトＯＢＳＳ＿ＰＤ閾値、たとえば−８２ｄＢｍ、でもよい。第１の量は、その差より大きいが、最大限度以下の任意の値でもよい。
【００２４】
代替手順では、本デバイスによって計算される最大限度は、ネットワーク内の他の局に提供され、本デバイスは、ネットワーク内の他の局によって計算された最大限度を適用する。
【００２５】
さらなる手順によれば、本コントローラはさらに、最大限度がその差以下であることに応じて、第１の信号の持続期間についてワイヤレスインターフェースを介するチャネルを通じた本デバイスからの送信を抑止するように構成される。したがって、チャネルは、それが最大限度を超えることなしに第１の閾値を増やして第１の信号を除去する（および対応する量だけ通過電力を減らす）ことができない場合に、ビジーにセットされ得る。
【００２６】
さらなる手順によれば、本コントローラは、送信に送信電力の指示を含めるように構成され、その指示は、空間再利用識別子、空間再利用電力値、送信電力、既定義送信電力および第１の量のうちの１つまたは複数を備える。これは、信号の送信電力がもしそれが低減されなかった場合に何であったかを他のデバイスが推定することを可能にする。これは、ネットワーク内の局がネットワーク内の送信をより正確に監視することを可能にする。指示は、送信のヘッダーに含まれ得る。第１の量と既定義送信電力（たとえば、デフォルト送信電力）の両方が、送信電力が決定されることを可能にするために、提供され得る。空間再利用識別子は、送信が空間再利用送信であるという任意の指示でもよい。
【００２７】
さらなる手順において、対応する受信信号強度値を信号毎に決定することは：信号がその信号の送信電力が低減された第２の量の指示を含むかどうかを決定することと、信号が第２の量の指示を含むという決定に応じて、その信号の受信信号強度および第２の量に基づいて予測受信信号強度値を決定し、対応する受信信号強度値を予測受信信号強度値と等しくなるようにセットすることと、信号が第２の量の指示を含まないという決定に応じて、対応する受信信号強度値を受信信号強度と等しくなるようにセットすることとを備える。したがって、本デバイスは、空間再利用送信の送信電力がそれが低減されなかった場合に何であったかを推定して、正確な受信信号強度値が最大限度の決定において使用するために収集されることを確保することができる。
【００２８】
さらなる手順によれば、各信号は、対応する空間再利用電力値を含み、本デバイスは、メモリをさらに備える。受信信号強度値のセットを取得することは：第１のセットの局毎に、それぞれの空間再利用電力値とそれぞれの受信信号強度値とをメモリに記憶することと、第１のセットの局のうちの１つからの、さらなる空間再利用電力値を備えるさらなる信号をワイヤレスインターフェースを介してチャネルを通じて受信することと、さらなる信号のさらなる受信信号強度値を決定することと、さらなる空間再利用電力値がメモリに記憶されたそれぞれの空間再利用電力値より大きいかどうかおよび／またはさらなる受信信号強度値がメモリに記憶されたそれぞれの受信信号強度値より大きいかどうかを決定することと、さらなる空間再利用電力値がメモリに記憶されたそれぞれの空間再利用電力値より大きいという決定および／またはさらなる受信信号強度値がメモリに記憶されたそれぞれの受信信号強度値より大きいという決定に応じて、さらなる空間再利用電力値とさらなる受信信号強度電力値とをメモリに記憶することとを備える。受信信号強度値のセットのうちの最低受信信号強度値を決定することは、メモリに記憶された、第１のセットの局の受信信号強度値から最低受信信号強度値を決定することを備える。
【００２９】
したがって、本デバイスは、ＳＲＰ値または受信信号強度値に基づいて局の送信電力が低減されたかどうかを決定して、正確な受信信号強度値が収集されることを確保することができる。さらなるＳＲＰおよび受信信号強度値が、その局の前の値の代わりに記憶され得る（すなわち、前の値は、削除され得る）。値は、表に記憶され得る。
【００３０】
さらなる手順によれば、本コントローラは：ネットワーク内の複数の局の各々について、それぞれの局によって受信された信号に基づいて計算されたさらなる最大限度を取得することと、第１の局の最大限度をそれらの複数の局のさらなる最大限度のうちの最小値と等しくなるようにセットすることとを行うように構成される。したがって、第１の局の最大限度は、ネットワーク内の他の局によって計算された限度に基づいてセットされ得る。第１の局は、本デバイスでもよく、またはネットワーク内の別の局でもよい。１つの手順では、第１の局は、複数の局のうちの１つである。これは、限度をセットするより保守的手段を提供する。さらなる手順において、第１の局は、複数の局のうちの１つではない。第１の局の限度は、ネットワーク内のすべての局について計算されたさらなる最大限度のうちの最小値に基づいてもよい。
【００３１】
さらなる最大限度を取得することは、さらなる最大限度を計算した１つまたは複数のデバイスからさらなる最大信号を決定すること（たとえば、受信信号強度値を使用して）または受信することでもよい。
【００３２】
さらなる手順において、本デバイスはさらに、ネットワーク内の複数の局と伝送チャネルを通じてワイヤレスに通信するためのワイヤレスインターフェースを備える。本コントローラはさらに、最大限度をネットワーク内の複数の局に指示する信号をワイヤレスインターフェースを介して送るように構成される。ネットワーク内の複数の局の各々について、さらなる最大限度を取得することは、それぞれの局によって受信された信号の最小の受信信号強度に基づいて計算された対応する最大限度をネットワーク内の複数の局の各々からワイヤレスインターフェースを介して受信することを備える。本コントローラはさらに、さらなる最大限度のうちの最小値を選択し、さらなる最大限度のうちの最小値を本デバイスの最大限度としてセットするように構成される。
【００３３】
さらなる手順によれば、受信信号強度値のセットを取得することは、ネットワーク内の他の無線局から伝送チャネルを通じて無線局によって受信された信号に対応する受信信号強度値の第１のセットをネットワーク内の無線局から受信することを備える。本デバイスはさらに、最大限度を無線局に送るように構成される。したがって、本デバイスは、ネットワーク内の１つまたは複数の局の最大限度を決定し、局で適用するために最大限度を送ることができる。本デバイスは、アクセスポイント、ネットワーク内の局、またはネットワークに通信可能に接続された（たとえば、アクセスポイントを介して）コンピュータでもよい。送ることは、ビーコン／マルチキャストメッセージにおいて最大限度を広告することを含み得る。
【００３４】
さらなる手順によれば、受信信号強度値のセットは、ネットワーク内の他の無線局から伝送チャネルを通じて第１の無線局によって受信された信号に対応する受信信号強度値の第１のセットを備える。最低受信信号強度値を決定することは、受信信号強度値の第１のセットのうちの最低受信信号強度値を決定することを備える。別法として、受信信号強度値のセットを取得することはさらに、１つまたは複数のさらなる無線局によってネットワーク内の他の無線局から伝送チャネルを通じて受信された信号に対応する受信信号強度値の第２のセットを１つまたは複数のさらなる無線局から受信することを備え得、最低受信信号強度値を決定することは、第１のおよび第２のセットから最低受信信号強度値を決定することを備え得る。
【００３５】
したがって、最大限度は、特定の局の最低受信信号強度値に基づいてまたは複数の局（たとえば、ネットワーク全体にわたる）によって記録された最低受信信号強度値に基づいてセットされ得る。第１の無線局は、本デバイスでもよく、または別のデバイスでもよい。
【００３６】
本発明の第２の態様によれば、ネットワーク内の伝送チャネルを通じたワイヤレス通信を管理するためのデバイスが提供され、本デバイスはワイヤレスインターフェースとコントローラとを備える。本コントローラは：ネットワーク外からの第１の信号をワイヤレスインターフェースを介して伝送チャネルを通じて受信することと、そのネットワーク外から受信された信号に対応する第１の受信信号強度値を決定することと、第１の受信信号強度値が第１の閾値より大きいかどうかを決定することとを行うように構成される。本コントローラはさらに、第１の受信信号強度値が第１の閾値より大きいことに応じて：最大限度が第１の受信信号強度値と既定義閾値との差より大きいかどうかを決定するように構成される。本コントローラはさらに、最大限度がその差より大きいことに応じて：第１の閾値が第１の受信信号強度値より大きく、第１の閾値が第１の量だけ既定義閾値より大きくなるように、第１の閾値を増やすことと、伝送チャネルの送信電力を第１の量だけ所定の送信電力より少なくなるようにセットすることと、ワイヤレスインターフェースが伝送チャネルを通じてネットワーク内の局にその送信電力で送信することを可能にすることとを行うように構成される。
【００３７】
したがって、局は、最大限度によって可能にされる範囲内で、それの第１の閾値を増やし、それの送信電力を減らすことができる。
【００３８】
さらなる手順によれば、本コントローラは：第１の受信信号強度値が第１の閾値以下であることに応じて、ワイヤレスインターフェースが伝送チャネルを通じてその送信電力でネットワーク内の局に送信することを許可することと、最大限度がその差以下であることに応じて、第１の信号の持続期間に伝送チャネルを通じたワイヤレスインターフェースを介する本デバイスからの送信を抑止することとを行うように構成される。
【００３９】
さらなる手順によれば、本コントローラは、ネットワーク内の無線局からの信号をワイヤレスインターフェースを介して伝送チャネルを通じて受信することと、その受信信号に対応する受信信号強度値のセットを決定することと、その受信信号強度値のセットまたは受信信号強度値のセットのうちの最低受信信号強度値をワイヤレスインターフェースを介してそのネットワーク内のアクセスポイントに送信することと、伝送チャネルの送信電力が所定の送信電力から低減され得る最大限度をワイヤレスインターフェースを介してアクセスポイントから受信することと、その限度が受信信号強度値のセットのうちの最低受信信号強度値に基づく、を行うように構成される。
【００４０】
したがって、最大限度は、アクセスポイント（または、アクセスポイントに通信可能に接続されたデバイス）によって計算され、局によって提供された受信信号強度値に基づいて局に提供されることができる。
【００４１】
本発明の第３の態様によれば、ネットワーク内の伝送チャネルを通じたワイヤレス通信を管理するための方法が提供され、本方法は、コントローラを備えるデバイスにおいて：ネットワーク内で伝送チャネルを通じて送信される信号の受信信号強度値のセットを取得することと、受信信号強度値のセットのうちの最低受信信号強度値を決定することと、伝送チャネルの送信電力が所定の送信電力から低減され得る最大限度を決定することと、その最大限度は最低受信信号強度値に基づく、を備える。
【００４２】
さらなる手順によれば、最大限度は、最低受信信号強度値と既定義閾値との差になるように決定される。
【００４３】
さらなる手順によれば、本デバイスはさらに、ネットワーク内の無線局とワイヤレスに通信するためのワイヤレスインターフェースを備える。受信信号強度値のセットを取得することは：ワイヤレスインターフェースを介して、ネットワーク内の第１のセットの局から信号を受信することと、対応する受信信号強度値を信号毎に決定することとを備える。
【００４４】
さらなる手順によれば、本方法はさらに：ネットワーク外からの第１の信号をワイヤレスインターフェースを介して受信することと、ネットワーク外から受信された信号に対応する第１の受信信号強度値を決定することと、第１の受信信号強度値が第１の閾値より大きいかどうかを決定することと、第１の受信信号強度値が第１の閾値以下であることに応じて、ワイヤレスインターフェースがその送信電力でネットワーク内の局に送信することを許可することとを備える。
【００４５】
本方法はさらに、第１の受信信号強度値が第１の閾値より大きいことに応じて：最大限度が第１の受信信号強度値と既定義閾値との差より大きいかどうかを決定することと、最大限度がその差より大きいことに応じて：第１の閾値が第１の受信信号強度値より大きく、第１の閾値が第１の量だけ既定義閾値より大きくなるように、第１の閾値を増やすことと、第１の量だけ所定の送信電力より少なくなるように送信電力をセットすることと、ワイヤレスインターフェースがその送信電力でネットワーク内の局に送信することを許可することとを備え得る。
【００４６】
本方法はさらに、最大限度がその差以下であることに応じて、第１の信号の持続期間にワイヤレスインターフェースを介する本デバイスからの送信を抑止することを備え得る。
【００４７】
さらなる手順によれば、送信電力の指示が、送信に含まれ、ここにおいて、その指示は、空間再利用電力値、送信電力、既定義送信電力および第１の量のうちの１つまたは複数を備える。
【００４８】
さらなる手順によれば、対応する受信信号強度値を信号毎に決定することは：信号がその信号の送信電力が低減された第２の量の指示を含むかどうかを決定することと、信号が第２の量の指示を含むという決定に応じて、その信号の受信信号強度および第２の量に基づいて、予測受信信号強度値を決定することと、対応する受信信号強度値を予測受信信号強度値と等しくなるようにセットすることと、信号が第２の量の指示を含まないという決定に応じて、対応する受信信号強度値を受信信号強度と等しくなるようにセットすることとを備える。
【００４９】
さらなる手順によれば、各信号は、対応する空間再利用電力値を含み、本デバイスは、メモリをさらに備え、受信信号強度値のセットを取得することは：第１のセットの局毎に、それぞれの空間再利用電力値およびそれぞれの受信信号強度値をメモリに記憶することと、第１のセットの局のうちの１つからの、さらなる空間再利用電力値を備えるさらなる信号を受信することと、さらなる信号のさらなる受信信号強度値を決定することと、さらなる空間再利用電力値がメモリに記憶されたそれぞれの空間再利用電力値より大きいかどうかおよび／またはさらなる受信信号強度値がメモリに記憶されたそれぞれの受信信号強度値より大きいかどうかを決定することと、さらなる空間再利用電力値がメモリに記憶されたそれぞれの空間再利用電力値より大きいという決定および／またはさらなる受信信号強度値がメモリに記憶されたそれぞれの受信信号強度値より大きいという決定に応じて、さらなる空間再利用電力値およびさらなる受信信号強度電力値をメモリに記憶することとを備える。受信信号強度値のセットのうちの最低受信信号強度値を決定することは、メモリに記憶された、第１のセットの局の受信信号強度値から最低受信信号強度値を決定することを備える。
【００５０】
さらなる手順によれば、本方法はさらに：ネットワーク内の複数の局の各々について、それぞれの局によって受信された信号に基づいて計算されたさらなる最大限度を取得することと、それらの局のさらなる最大限度のうちの最小値と等しくなるように本デバイスの最大限度をセットすることとを備える。
【００５１】
さらなる手順によれば：受信信号強度値のセットを取得することは、ネットワーク内の無線局から、ネットワーク内の他の無線局から無線局によって受信された信号に対応する受信信号強度値の第１のセットを受信することを備え、本方法はさらに、最大限度を無線局に送ることを備える。
【００５２】
さらなる手順によれば、受信信号強度値のセットは、ネットワーク内の他の無線局から第１の無線局によって受信された信号に対応する受信信号強度値の第１のセットを備える。最低受信信号強度値を決定することは、受信信号強度値の第１のセットのうちの最低受信信号強度値を決定することを備える、あるいは、受信信号強度値のセットを取得することはさらに、ネットワーク内の他の無線局から１つまたは複数のさらなる無線局によって受信された信号に対応する受信信号強度値の第２のセットを１つまたは複数のさらなる無線局から受信することを備え、最低受信信号強度値を決定することは、第１のおよび第２のセットから最低受信信号強度値を決定することを備える。
【００５３】
本発明の第４の態様によれば、ネットワーク内の伝送チャネルを通じたワイヤレス通信を管理するための方法が提供され、本方法は、ワイヤレスインターフェースおよびコントローラを備えるデバイスにおいて：ネットワーク外からの第１の信号をワイヤレスインターフェースを介して伝送チャネルを通じて受信することと、ネットワーク外から受信された信号に対応する第１の受信信号強度値を決定することと、第１の受信信号強度値が第１の閾値より大きいかどうかを決定することと、第１の受信信号強度値が第１の閾値より大きいことに応じて：最大限度が第１の受信信号強度値と既定義閾値との差より大きいかどうかを決定することと、最大限度がその差より大きいことに応じて：第１の閾値が第１の受信信号強度値より大きく、第１の閾値が第１の量だけ既定義閾値より大きくなるように、第１の閾値を増やすことと、第１の量だけ所定の送信電力より少なくなるように伝送チャネルの送信電力をセットすることと、ワイヤレスインターフェースが伝送チャネルを通じてその送信電力でネットワーク内の局に送信することを許可することとを備える。
【００５４】
さらなる手順によれば、本方法はさらに：第１の受信信号強度値が第１の閾値以下であることに応じて、ワイヤレスインターフェースが伝送チャネルを通じてその送信電力でネットワーク内の局に送信することを許可することと、最大限度がその差以下であることに応じて、第１の信号の持続期間に伝送チャネルを通じたワイヤレスインターフェースを介する本デバイスからの送信を抑止することとを備える。
【００５５】
さらなる手順によれば、本方法はさらに：ネットワーク内の無線局からの信号をワイヤレスインターフェースを介して受信することと、その受信信号に対応する受信信号強度値のセットを決定することと、その受信信号強度値のセットまたはその受信信号強度値のセットのうちの最低受信信号強度値をワイヤレスインターフェースを介してそのネットワーク内のアクセスポイントに送信することと、ワイヤレスインターフェースの送信電力が所定の送信電力から低減され得る最大限度をワイヤレスインターフェースを介してアクセスポイントから受信することと、その限度が受信信号強度値のセットのうちの最低受信信号強度値に基づく、を備える。
【００５６】
さらなる手順によれば、前述の方法のいずれかをコンピュータに実行させるための命令を備えるコンピュータ可読媒体が提供される。
【００５７】
前述の手順のいずれも、本明細書に記載の教示を実装するために任意の組合せで結合され得ることが、容易に明らかとなろう。
【００５８】
前述のように、ノードが、それの送信電力を減らす（同マージンによってそれのＯＢＳＳ＿ＰＤ閾値を同時に増やして）場合、次いで、ノードは、ネットワーク内でより弱い信号を送ることになる。これは、隠れノードの問題、すなわち、ネットワーク内の他のノードが、それの送信電力を減らしたノードを聞くことができないこと、をもたらし得る。これらの隠れノードは、そのノードを聞くことができないので、これらの隠れノードは、そのノードと同時に送信することがあり、衝突をもたらす。したがって、送信電力の低減が、隠れノード、ひいてはネットワーク性能の低下を生じさせないことを確保する明確な必要性が存在する。
【００５９】
本明細書に記載の方法は、それらが、トポロジーおよびノード分布に関する任意の想定を行わず、実装形態の観点から単純であるという点において、実践的に前述の問題を解決する。
【００６０】
一手順は、送信電力がそれを超えて減らされるべきではない限度を計算するための方法を提供する。これは、ノードが送信電力を減らし過ぎることおよびネットワーク内の他のＭｙＢＳＳノードから隠れることを防ぐ。これがその中で実際に展開され得るいくつかの方法が存在する。
【００６１】
方法１は、チャネル相互依存の想定に依拠し、すべてのノードが同じ送信電力を使用すると想定する。図１〜７に示すように、これは、非常に単純な実装形態をもたらす。他方で、方法２は、チャネル相互依存に関する想定を行わず、すべてのノードが同じ基準送信電力値を使用すると想定しない（たとえば、携帯電話およびラップトップなどの異なるデバイスは異なる基準送信電力値を使用する傾向があり得ることが、理解されよう）。前述の２つの方法は、ネットワークノード間の追加の信号伝達を必要とするが、ネットワークノード間の追加の信号伝達を必要としない、方法３における補完的手法が提案される。
方法１：
この方法では、各ＳＴＡは、それが聞くことができるすべてのＭｙＢＳＳノードの受信信号強度インジケータ（ＲＳＳＩ）を記録し、これらのすべての値のうちの最小値を記憶する。パケットが、たとえば受信ノードのネットワーク（ＭｙＢＳＳ）に属するかどうかが識別され得る異なる方法が存在する：
１）パケットヘッダー内の色がパケットの受信者によって使用される色と一致する場合にそのパケットがそのネットワークに属するＢＳＳ彩色法の使用、および／または、
２）サービスするアクセスポイント（ＡＰ）のアドレスがこのパケットの受信者にサービスするＡＰのそれと一致する、パケットヘッダーにおけるＭＡＣアドレスフィールドの調査。
【００６２】
前述の第１の実装形態は、近く発表される規格（１１ａｘなど）をサポートするデバイスによってサポートされる可能性が高く、一方、第２の実装形態は、ＢＳＳ彩色法のサポートを有さないことがあるレガシデバイスから到着するパケットについて使用される可能性が高い（たとえば、色情報がヘッダー内に存在しない場合、ＭＡＣアドレスが調査され得る）。したがって、提案される方法をサポートするものと並行して動作するレガシノードがネットワーク内に存在した場合にも、一手順は有効に機能する。
【００６３】
検出された最小のＲＳＳＩ値からデフォルトＯＢＳＳ＿ＰＤ閾値（−８２ｄＢｍ）を減算すると、送信電力が基準電力から低減され得る限度が出る。そのような限度計算の背後にある論理は、局がそれの送信電力をこの限度によって減らしてＳＲ送信に従事しようとした場合でも、その局は他のＭｙＢＳＳノード（それの基準電力で送信するときにこの局を当初聞くことができた）によって依然として聞かれ続けることになるということである。これは、デフォルトＯＢＳＳ＿ＰＤ閾値が、ネットワーク内のノードによって検出され得る最低信号強度であるからである。
【００６４】
局がＯＢＳＳ送信を聞くとき、その局が行う必要があるのは、限度によって送信電力を減らすことがＯＢＳＳ送信のＲＳＳＩより大きい閾値をもたらすことになるかどうかを検査することだけである。そうである場合、ノードは、同量によってそれのＯＢＳＳ＿ＰＤ閾値を増やすのと同時にそれの送信電力を減らし、空間再利用送信に従事することができる。しかしながら、そうでない場合、局は、単純に空間再利用送信に従事するべきではなく、ＯＢＳＳ送信が完了するのを待つべきである。これは、送信電力が減らされ過ぎ、隠れノードをもたらすのを避ける。
【００６５】
図１は、２つのネットワークを備える例示的トポロジーを示す。３つの局（ＳＴＡ−Ａ１１０、ＳＴＡ−Ｂ１２０およびＳＴＡ−Ｃ１３０）は、第１のアクセスポイント（ＡＰ１）１４０に接続され、さらなる局（Ｃｘ）１５０は、近隣アクセスポイント（ＡＰ２）１６０に接続される。すべての局は、同じ基準送信電力（１５ｄＢｍ）を使用すると想定され、すべてのアクセスポイントは、同じ基準送信電力（２０ｄＢｍ）を使用すると想定される。
【００６６】
方向を示す矢印は、ＳＴＡがそれで他のＳＴＡを聞くことができるＲＳＳＩを示す。矢印は、同ネットワーク内のＡＰとＳＴＡの間には示されないが、各ＳＴＡはＡＰを聞くことができ、逆もまた同様であると想定される。ＳＴＡ−Ａ１１０とＳＴＡ−Ｂ１２０の間の信号のＲＳＳＩは、−７５ｄＢｍである。ＳＴＡ−Ｂ１２０とＳＴＡ−Ｃ１３０の間の信号のＲＳＳＩは、−７０ｄＢｍである。ＳＴＡ−Ａ１１０とＳＴＡ−Ｃ１３０の間の信号のＲＳＳＩは、−６５ｄＢｍである。ＳＴＡ−Ａ１１０はまた、−７１ｄＢｍのＲＳＳＩでＣｘから信号を受信する。
【００６７】
図２は、送信電力の低下が隠れ端末の問題をどのようにもたらし得るかを強調表示する。この例では、ノードは、前述のようにＯＢＳＳ＿ＰＤ閾値の対応する増加を使ってそれらの送信（Ｔｘ）電力を減らすように（またはその逆に）動作する。それらは、ＯＢＳＳ＿ＰＤ閾値から独立したＣＣＡ閾値を実装して、信号がネットワーク内から生じているかどうかをそれらが決定することができないときに、チャネルがいつその信号からクリアであるかを決定する。
【００６８】
この場合、ＣＣＡ閾値は、−８２ｄＢｍのデフォルト値を有する。ノードが信号を受信し、その信号がネットワーク内から生じているかどうかを決定することができない（たとえば、その信号がＢＳＳ色を含まない）とき、次いで、ノードは、ＣＣＡ閾値と対照して受信信号強度を検査する。動的感度制御（ＤＳＣ：dynamic sensitivity control）が、実装された場合、ＣＣＡ閾値は、それのデフォルトレベルから増やされた可能性がある。信号のＲＳＳＩが、ＣＣＡ閾値以上である場合、次いで、チャネルはビジーにセットされる。そうでない場合、チャネルは、クリアにセットされることになり、チャネルを通じた送信が可能にされることになる。
【００６９】
ネットワーク内からの信号が受信されるとき、ノードは、受信された信号の強度にかかわらずチャネルをビジーにセットすることになる。したがって、ＣＣＡまたはＯＢＳＳ＿ＰＤ閾値に対する検査は、必要とされない。本明細書で論じられるように、ＯＢＳＳ＿ＰＤ閾値は、ネットワーク外から受信された信号に適用される。図２において、Ｃｘノード１５０から−７１ｄＢｍ信号を遮断するために、ＳＴＡ−Ａ１１０は、それのＯＢＳＳ＿ＰＤ閾値を−８２ｄＢｍから−７０ｄＢｍ（すなわち、ＣＸノード１５０からの信号のＲＳＳＩより１ｄＢｍ高く）に増やす。これは、デフォルトＯＢＳＳ＿ＰＤ閾値からの１２ｄＢｍの増加に対応する。したがって、ＳＴＡ−Ａ１１０は、送信電力に対応する１２ｄＢｍの減少を実装して、ＯＢＳＳ送信に影響を及ぼすことなく空間再利用（ＳＲ）送信に従事する。
【００７０】
前述のシナリオの意図しない結果は、ＳＴＡ−Ｂ１２０がＳＴＡ−Ａ１１０をその後は聞くことができず、したがって、ＳＴＡ−Ａ１１０と同時に送信し、衝突をもたらし得るということである。これは、ＳＴＡ−Ａ１１０から受信された信号のＲＳＳＩが−８７ｄＢｍ（−８２ｄＢｍのＣＣＡ閾値より低い）であるからである。他方で、ＳＴＡ−Ｂ１２０は、それがＣｘ１５０からさらに離れているので、それの送信電力をそれほど減らさなかったことになり、したがって、ＳＴＡ−Ｂからの信号は、ＳＴＡ−Ａ１１０によってまだ検出されることになる。
【００７１】
ＳＴＡ−Ａ１１０が、ＡＰ１  １４０へのＳＲ通信を進める場合、ＳＴＡ−Ｂ１２０はＳＴＡ−Ａ１１０をキャリア検知することができないので、ＳＴＡ−Ｂ１２０もまた、ＡＰ１  １４０での衝突を潜在的にもたらすＡＰ１  １４０との送信に従事し得ることが十分に考えられ得る。
【００７２】
したがって、限度なしに送信電力を調整することは、ネットワーク効率および公平性を低減して、アクセスポイントでの衝突の増加をもたらし得る。図３および４は、問題の解決法を説明する。
【００７３】
図３は、一手順による送信電力を調整する第１の方法を示す。前述のように、各局は、自らのネットワークのノードから受信された信号の最小ＲＳＳＩ（ＭｙＢＳＳノードからの最小のＭｙＢＳＳ  ＲＳＳＩ）を記録する。
【００７４】
図３に示すように、ＳＴＡでの最小ＭｙＢＳＳ  ＲＳＳＩが、ＯＢＳＳ送信の強度より低い場合、ＳＴＡは、ＳＲ送信に従事すべきではない。それのネットワーク内のノードからＳＴＡ−Ａ１１０によって受信された最低ＲＳＳＩを有する信号は、−７５ｄＢｍのＲＳＳＩを有するＳＴＡ−Ｂ１２０からの信号である。Ｃｘ１５０からのＯＢＳＳ送信のＲＳＳＩは、−７１ｄＢｍである。ＳＴＡ−Ａでの最低ＭｙＢＳＳ  ＲＳＳＩは、ＯＢＳＳ送信のＲＳＳＩより少ないので、ＳＴＡ−Ａ１１０は、ＳＲ送信に従事しないことになる。これは、ＳＴＡ−Ｂ１２０が送信している間に、ＳＴＡ−Ａ１１０が送信することによって引き起こされるアクセスポイント１４０での衝突のリスクを回避する（前述のように、ＳＴＡ−Ａ１１０が−８２ｄＢｍより弱い信号を送信する場合、ＳＴＡ−Ｂ１２０は、ＳＴＡ−Ａ１１０からの送信を登録することができないので）。
【００７５】
図４は、第１の方法が使用されるさらなるシナリオを示す。この場合、ＳＴＡ−Ａ１１０での最低ＭｙＢＳＳ  ＲＳＳＩ（ＳＴＡ−Ｂ１２０からの−７５ｄＢｍ）は、ＯＢＳＳ  ＲＳＳＩ（Ｃｘ１５０からの−７８ｄＢｍ）よりも高い。したがって、ＳＴＡ−Ａ１１０は、それのＯＢＳＳ＿ＰＤ閾値を最大−７５ｄＢｍまで増やすことができ（送信電力を−７５−（−８２）＝７ｄＢｍだけ減らす）、他のＭｙＢＳＳノードで依然として聞くことができる。
【００７６】
とはいえ、完全に７ｄＢｍものＯＢＳＳ＿ＰＤを増やすおよび送信電力を減らす必要はない。これは、単に、これらのそれぞれのパラメータの変更の限度をセットする。本シナリオでは、ＳＴＡ−Ａ１１０は、５ｄＢｍだけそれのＯＢＳＳ＿ＰＤを増やすことおよびそれの送信電力を減らすことによってＳＴ送信に従事することができる（−７７ｄＢｍ＞−７８ｄＢｍであるので）。言い換えれば、ＳＲ送信は、ＯＢＳＳ  ＲＳＳＩとデフォルトＯＢＳＳ＿ＰＤとの差より１ｄＢｍ多く送信電力を変化させることによって達成され得る。
【００７７】
したがって、ＳＴＡ−Ａは、５ｄＢｍから７ｄＢｍの間でそれの送信電力を減らすことによって、ＳＲ送信に従事することができるが、ＳＲ送信に従事するとき、ＳＲ送信に従事するＳＴＡが基準電力で送信しようとした場合、他のＭｙＢＳＳノードが、減ったＲＳＳＩに気付き、それから実際のＲＳＳＩが何であるかを推定することができるように、ＳＴＡは、他のＭｙＢＳＳノードにこれが事実であることを知らせなければならない。これは、システム内のその他のノードがネットワーク内のノードのＲＳＳＩ値の正確な記録を維持し得ることを確保する。これは、図５に示すように遂行される。
【００７８】
図５は、第１の方法による空間再利用送信における送信電力広告を示す。本シナリオは、図４のそれと一致する。ＳＴＡ−Ａは、それのネットワーク内の各局の受信された送信電力を記憶する。ＳＴＡ−Ａは、これらのＲＳＳＩ値から最小限ＭｙＢＳＳ  ＲＳＳＩを決定する。この場合、ＳＴＡ−ＢからのＲＳＳＩは、−７５ｄＢｍであり、ＳＴＡ−ＣからのＲＳＳＩは、−６５ｄＢｍである。したがって、最小ＭｙＢＳＳ  ＲＳＳＩは、−７５ｄＢｍである。−８２ｄＢｍのデフォルトＯＢＳＳ＿ＰＤが、最小ＭｙＢＳＳ  ＲＳＳＩから減算されて７ｄＢｍの限度を生み出す。したがって、ＳＴＡ−Ａは、デフォルト値、１５ｄＢｍ、から８ｄＢｍにそれの送信電力を減らし、それのＯＢＳＳ＿ＰＤをデフォルトの−８２ｄＢｍから−７５ｄＢｍに増やす。これは、Ｃｘからの送信（−７８ｄＢｍのＲＳＳＩを有する）を遮断し、ＣｘがＳＴＡ−Ａからの送信を聞くのを防ぐが、ＳＴＡ−Ａからの送信がネットワーク内のその他のノードによって聞かれることも確保する。
【００７９】
ＳＴＡ−Ａは、ＳＲ送信（ＳＲ  Ｔｘ）のヘッダーにおいてそれの低減された送信電力を広告する。低減された送信電力により、ＳＴＡ−Ｂは、−８２ｄＢｍのＲＳＳＩを有する信号を受信し、ＳＴＡ−Ｃは、−７２ｄＢｍのＲＳＳＩを有する信号を受信する。これらの受信されるＲＳＳＩおよび広告される送信電力に基づいて、残りの局の各々（ＳＴＡ−ＢおよびＳＴＡ−Ｃ）は、実際のＲＳＳＩが送信電力を低減されなかったであろうもののそれぞれの推定値を計算する。すなわち、各ＲＳＳＩは、測定ＲＳＳＩにその低減を加える。この場合、局は、デフォルト送信電力（基準Ｔｘ＝１５ｄＢｍ）を知っている。したがって、推定ＲＳＳＩは：
【数１】
2018046554.tif 000003
【００８０】
ＳＴＡ−Ｂについて、これは、−８２＋１５−８＝−７５ｄＢｍである。ＳＴＡ−Ｃについて、これは、−７２＋１５−８＝−６５ｄＢｍである。
【００８１】
すべてのノードが同じ送信電力を使用すると想定すると、ＳＴＡは、ＳＲ送信の使用において送信電力を広告するだけでよい。ＳＴＡは、パケットヘッダーにおいて（たとえば、ＭＡＣヘッダーにおいて）これを信号伝達することができる。これを遂行するための１つの方法は、表１に示されるように基準送信電力（デフォルト電力）からのオフセットを広告することでもよい。基準電力からのオフセットが広告される方法が表１に示される。これは、これが遂行され得る唯一の方法ではない。オフセットまたは送信電力は、オフセットの代わりに実際の送信電力値を広告することなど、他の方法で広告され得る。
【表１】
2018046554.tif 000004
【００８２】
表１に示されるように、送信電力適応粒度（ＴｘＰｏｗ適応粒度）は、１ｄＢｍである（すなわち、送信電力は、１ｄＢｍの整数ｎ量によって変化させられ得る）。送信基準電力（ＴｘＲｅｆＰｏｗ）は、１５ｄＢｍである。パケットヘッダーは、送信電力（ＴｘＰｏｗ）が変化させられる量ｎ（ＰｋｔＨｄｒＢｉｔＶａｌｕｅ＝ｎ）を含む。したがって、送信電力は、ＴｘＰｏｗ＝ＴｘＲｅｆＰｏｗ−ＰｋｔＨｄｒＢｉｔＶａｌｕｅである。
【００８３】
パケットヘッダー内のビット値を変化させることによって（ＰｋｔＨｄｒビット構成）、異なる量のオフセットが、伝えられ得る（ＰｋｔＨｄｒＢｉｔＶａｌｕｅの異なる１０進値）。
【００８４】
図６は、（ａ）無線局と（ｂ）ワイヤレスアクセスポイントとで限度を割り当てる第１の方法を示す。図６ａは、各ノード（アクセスポイントを含む）が自らの限度を決定することができる一手順による分散型の方法を示す。ノードは、ネットワーク内の各ノードのＲＳＳＩ値を収集すること２０２によって開始する。ノードは、各ＲＳＳＩ値をそれぞれのノードの対応する識別子と関連付け、表にネットワーク内のノードから受信された信号のＲＳＳＩを記憶する。各ノードのＲＳＳＩ値は、そのノードから受信されたいくつかの信号から取られた最小のＲＳＳＩ値でもよく、そのノードから受信されたいくつかの信号から取られた平均ＲＳＳＩ値でもよく、または、そのノードの最新のＲＳＳＩ値でもよく、表は継続的に更新される。ノードは、次いで、ネットワーク内の最小のＲＳＳＩ値を決定する２０４。
【００８５】
限度は、次いで、ネットワーク内の最小のＲＳＳＩ値に基づいて決定される２０６。前述のように、ノードは、最小のＲＳＳＩ値からデフォルトＯＢＳＳ＿ＰＤ閾値を減算して限度を決定する。
【００８６】
前述の方法は、各ノードが独立して動作する、すなわち、独自の測定を行い、独自の決定を行い、ＳＲ送信に従事するときにそれの送信電力を他に通知するという点において、分散型である。本方法の一部を、集中型とすることもできる。たとえば、各ＳＴＡは、それの最小ＭｙＢＳＳ  ＲＳＳＩをＡＰに報告することができ、ＡＰは、各ＳＴＡの限度を計算し、図６ｂに示されるようにビーコンフレームを介してセルにおいてすべてのＳＴＡの限度を広告することができる。
【００８７】
図６ｂは、一手順による限度を割り当てる集中型の方法を示す。本方法は、ネットワークのアクセスポイントによって実装される。この場合、各局は、アクセスポイント（ＡＰ１）にそれのネットワーク内からの信号から取られた最小のＲＳＳＩ値（最小ＭｙＢＳＳ  ＲＳＳＩ）を報告する。
【００８８】
アクセスポイントは、各局２１２の最小ＭｙＢＳＳ  ＲＳＳＩを受信および記憶し、最小ＭｙＢＳＳ  ＲＳＳ２１４に基づいて対応する送信電力更新限度を計算する。アクセスポイントは、それぞれの局に各局の送信電力更新限度を送信する２１６。すべての局の限度が、ブロードキャストメッセージ（たとえば、ビーコン信号）を介して各局に送信され得る。以下で論じられるように、局は、それら自身の限度を決定するときにネットワーク内の他の局の限度を使用することができる。
【００８９】
図７は、一手順による送信電力およびクリアチャネルアセスメント閾値を変化させるための方法を示す。ネットワーク外からの信号（ＯＢＳＳ信号）が受信される３０２とき、ノードは、それのＲＳＳＩ（ＲＳＳＩOBSS）を決定し、信号のＲＳＳＩが現在のＯＢＳＳ＿ＰＤ閾値より大きいかどうかを決定する３０４。現在のＯＢＳＳ＿ＰＤ閾値は、最初は、デフォルトＯＢＳＳ＿ＰＤ閾値（たとえば、ノードのハードウェアによって検出可能な最小限信号強度）でもよいが、本明細書で論じられるように、ＯＢＳＳ＿ＰＤ閾値は、変化させられてあることがある。
【００９０】
信号のＲＳＳＩが、ＯＢＳＳ＿ＰＤ閾値以下である場合、次いで、ノードは、チャネルがクリアであると決定し、そうして、何らかの送信がスケジュールされている場合、現在の送信電力で空間再利用送信を送信する３０６。当然ながら、送信が行われる予定がない場合、ノードは、単に、送信がスケジュールされるのを待つ。
【００９１】
信号のＲＳＳＩが現在のＯＢＳＳ＿ＰＤ閾値より大きい場合、ノードは、その限度がＯＢＳＳ＿ＰＤ閾値がＯＢＳＳ信号を遮断するのに十分に増やされることを可能にするかどうかを決定する。したがって、ノードは、デフォルトＯＢＳＳ＿ＰＤ閾値（ＯＢＳＳ＿ＰＤD）に加えられた限度がＯＢＳＳ信号のＲＳＳＩ（ＲＳＳＩOBSS）より大きいかどうかを決定する３０８。言い換えれば、ノードは、その限度がＯＢＳＳ信号のＲＳＳＩとデフォルトＯＢＳＳ＿ＰＤ閾値との差より大きいかどうかを決定する。そうでない場合、次いで、空間再利用送信は可能にされず、ノードは、チャネルにビジーの印を付け、ＯＢＳＳ送信が完了するのを待って３１０から送信を試行する（すなわち、ノードは、ＯＢＳＳ信号の持続時間についてチャネルを通じた送信を抑止する）。ＯＢＳＳ＿ＰＤ閾値が、ＯＢＳＳ信号を遮断するのに十分に増やされ得る場合、ＯＢＳＳ＿ＰＤ閾値は、ＲＳＳＩOBSSより大きくなるように増やされ３１２、送信電力は、同量だけ減らされる。
【００９２】
ＯＢＳＳ＿ＰＤ閾値は、ＲＳＳＩOBSS＋既定義バッファ量（たとえば、１ｄＢｍ）まで増やされ得る。一般に、ＯＢＳＳ＿ＰＤ閾値は、ＲＳＳＩOBSSより大きく、かつ最大許容ＯＢＳＳ＿ＰＤ閾値以下の任意の値に増やされ得る。とはいえ、特定の実施形態は、いつも、その限度によりＯＢＳＳ＿ＰＤ閾値を最大許容ＯＢＳＳ＿ＰＤ閾値まで増やす。デフォルトＯＢＳＳ＿ＰＤ閾値または最大ＯＢＳＳ＿ＰＤ閾値というわずか２つのオプションが提供されるので、最大許容ＯＢＳＳ＿ＰＤ閾値まで増やすことで、信号伝達要件を減らすのを助けることができる。
【００９３】
ノードは、次いで、チャネルにクリアの印を付け、送信がスケジュールされている場合、ＯＢＳＳ送信の間に送信する３１４（空間再利用（ＳＲ）送信）。ＳＲ送信は、減らされた（新しい）送信電力で送られ、新しい送信電力が、その送信において、たとえばヘッダーにおいて、広告される。新しい送信電力を広告することは、ネットワーク内のその他のＭｙＢＳＳノードがそれらの最低の測定ＲＳＳＩの正確な記録を維持することを可能にする。
【００９４】
図８は、アクセスポイントがそれのネットワーク内の局の限度を計算および広告する一手順を示す。局の分布（信号の強度）は、図４と同じである。アクセスポイントは、図６ｂの方法に従って、各局の限度を決定する。各限度は、それぞれの最小ＭｙＢＳＳ  ＲＳＳＩからデフォルトＯＢＳＳ＿ＰＤ値を減算することによってアクセスポイントによって計算され得る。
【００９５】
この場合、ＳＴＡ−Ａ、ＳＴＡ−ＢおよびＳＴＡ−Ｃは、それぞれ、−７５ｄＢｍ、−７５ｄＢｍおよび−７０ｄＢｍのそれぞれの最小ＭｙＢＳＳ  ＲＳＳＩを有する。これは、それぞれ、７ｄＢｍ、７ｄＢｍおよび１２ｄＢｍの送信電力更新限度をもたらす。
【００９６】
もう１つの実施形態では、ＡＰは、すべての計算された限度値の最低値を選択し、ネットワーク内のすべての局によって使用するために、この単一の最低値を広告する。これは、各局の個々の限度の割当てに関連する信号伝達オーバーヘッドを低減するが、それらのうちのいくつかが他の方法でより高い限度値をサポートすることができたとしても、ノードは保守的な値（すべての限度値のうちの最小値）を使用することになるので、それは最適ネットワーク性能を生み出さないことがある。ノードは、図７の方法のステップ３０８〜３１４において定義されたのと同様の形で限度を適用する。
【００９７】
本手法の利点は、各ＳＴＡが他のＳＴＡの限度値を知り、したがって、各ノードが完全限度によって送信電力を変化させることを条件として、各ＳＴＡはＳＲ送信に従事するときに使用するそれの送信電力を広告する必要がないことがある。必要とされるのは、これがＳＲ送信であるかどうかを指示する単一ビットを広告することだけである。ビット値の１が、広告される場合、ＭｙＢＳＳ  ＳＴＡは、図９に示すように、ＳＲ送信に従事するＳＴＡに対応する限度値を使用し、Ｒｅｆ送信電力におけるこのＳＴＡのＲｘ  ＲＳＳＩを更新することになる。
【００９８】
図９は、最低限度値が、ネットワーク内のすべての局に適用され、各局が、それが最低限度値を適用したかどうかを単一ビット識別子を使用して広告する、一手順を示す。本手順は、図８のそれと同じであるが、各ノードが、単に、ネットワーク内のすべてのノードについて広告された最低限度値を記憶し、それの送信限度値としてこれらの限度値の最低値を適用する。この場合、最低の、広告される限度値は、７ｄＢｍである。したがって、ＳＴＡ−Ａが、ＣｘからＯＢＳＳ送信を受信するとき、ＳＴＡ−Ａは、それの送信電力を１５ｄＢｍから最低の広告された限度値（７ｄＢｍ）によって８ｄＢｍまで減らす。ＳＴＡ−Ａは、それがデフォルト送信電力を使用して送信するかまたは下げられた送信電力を使用して送信するかを局に知らせるために、ｙｅｓまたはｎｏの指示（パケットヘッダー内の「１」または「０」）を送信するだけでよい。
【００９９】
この単一ビット識別子は、量を変化させることによって減らされた送信電力を指示することはできないので、ノードが、限度によって提供された全マージンを必要としない場合でも、ネットワーク内のノードは単に、それらの送信電力をその限度値だけ減らすことができる。たとえば、図４に示されるシナリオでは、５ｄＢｍの変更がＯＢＳＳ送信を除去するのに十分であるとしても、ＳＴＡ−Ａは、７ｄＢｍの限度によってそれのＯＢＳＳ＿ＰＤおよびＴｘ電力を変更しなければならないことになる。しかしながら、明示的送信電力が広告される（図５にあるような）一手順では、ノードは、限度によって定義された最大送信電力以下の任意の送信電力で送信することができる。
【０１００】
図８〜１０の集中型なバージョンは、ＳＴＡから生じる各パケットからＡＰによって広告された管理フレームへと信号伝達負荷を移す。ＡＰは、現在、ビーコンを介して関連ＳＴＡとこれらの各々に対応する限度値とのリストを備える表を広告する必要がある（または、前述のように、これらの限度値の最小値を広告することもできる）ことを想起し、ＳＴＡは、すべて、同最低限度値を適用するので、それらは、各パケットにおいて単一ビットを信号伝達するだけでよい。図９において信号伝達するために必要とされる１ビットフィールドは、ＰＨＹまたはＭＡＣヘッダーのいずれかに組み込まれ得る。これは、既存のヘッダーにおいて予約済みビットを使用することによって、または新しい標準化活動の一部としてパケットヘッダーに拡張子を導入することによって、遂行され得る。
方法２：
この方法では、異なるタイプのデバイスが、異なる基準送信電力値（デフォルト送信電力値）を使用し得ることと、チャネル相互依存が、妥当し得ないこととが、想定される。図１０は、本方法を説明するために使用されるセットアップを示す。
【０１０１】
図１０は、一手順による送信電力を調整する第２の方法を示す。本セットアップは、ノードが、現在、異なる信号強度で互いを聞くこと（異なるノードペアの間の矢印を参照）を除いて、方法１について示されたものと同様である。方法１での前の場合と同様に、矢印はＡＰとＳＴＡの間に示されないが、各ＳＴＡはＡＰを聞くことができ、逆もまた同様であると想定される。
【０１０２】
ＳＴＡ−Ａは、ＳＴＡ−Ｂからの−７５ｄＢｍ信号と、ＳＴＡ−Ｃからの−６４ｄＢｍ信号とを受信する。ＳＴＡ−Ｂは、ＳＴＡ−Ａからの−６５ｄＢｍ信号と、ＳＴＡ−Ｃからの−６６ｄＢｍ信号とを受信する。ＳＴＡ−Ｃは、ＳＴＡ−Ａからの−６０ｄＢｍ信号と、ＳＴＡ−Ｂからの−６８ｄＢｍ信号とを受信する。
【０１０３】
隠れノードの出現をもたらす送信電力低減の問題は、方法１に関連して前述したのと同じ方法で現れ、図１１に示される。
【０１０４】
図１１は、送信電力の低減が隠れ端末の問題をどのようにもたらし得るかを強調表示する。本シナリオは、図２のそれと同様であるが、ノードは、同じデフォルト送信電力（基準送信電力）を有さない。ＣｘからのＯＢＳＳ送信（−６５ｄＢｍ）を克服し、同時にＳＲ送信に従事するために、ＳＴＡ−Ａは、１８ｄＢｍだけそれのＯＢＳＳ＿ＰＤ閾値を増やし、同量だけそれの送信電力を減らす必要がある：
【数２】
2018046554.tif 000005
【０１０５】
送信電力のこの低減は、ＳＴＡ−Ａが送信するときにＳＴＡ−Ａからのより弱い信号をもたらす。したがって、ＳＴＡ−Ｂは、ＳＴＡ−Ａから−８３ｄＢｍの信号を受信する。これは、−８２ｄＢｍのデフォルト（および最小限）ＣＣＡ閾値より低いので、ＳＴＡ−Ｂは、ＳＴＡ−Ａを聞くことができない。したがって、ＳＴＡ−Ｂは、媒体が空いていると想定し、ＳＴＡ−Ａが送信しているときにもＡＰ１に送信し得る。これは、ＡＰ１でのＳＴＡ−Ａの送信との衝突をもたらし得る。
【０１０６】
限度を忠実に守る基本原則は、方法１におけるのと同じである。しかしながら、主な差は、図１２〜１４に示されるように限度が計算および広告される方法である。
【０１０７】
広くは、３つのフェーズが存在する：ローカル限度計算、限度広告、および、送信電力の自己調整の限度の識別。第１のフェーズでは、各ＳＴＡは、ＭｙＢＳＳノードからの送信のＲＳＳＩを測定し、これらのうちの最小値を識別する。最小値とデフォルトＯＢＳＳ＿ＰＤ閾値（−８２ｄＢｍ）との差は、ネットワーク内のその他のノードに広告されることになるローカルに計算された限度値を産出する。第２のフェーズでは、各ＳＴＡは、それの基準送信（Ｔｘ）電力値（デフォルト送信電力値）および現在の送信のために使用される送信電力とともに、それのローカルに計算された限度値を広告することになる（図１４に示されるように）。第３のフェーズでは、各ＳＴＡは、他のＭｙＢＳＳノードによって広告された限度値を記憶し、これらの広告された限度値から最小の限度値を識別することになる。この最小の値は、ノードの限度値としてセットされ、空間再利用送信に従事するかどうかを決定するときに送信電力を制限するための自己調整限度として使用される。
【０１０８】
ノードは、それが自らの限度を広告する機会を得る前に、情報を受信し得るので、フェーズ２および３の順番は交換され得ることに留意されたい。ＳＴＡは、動作時間中にこれらの３つのフェーズを繰り返し続ける。
【０１０９】
図１２は、一手順による限度を決定する第２の方法を示す。本方法の第１のフェーズは、図６ａにおけるのと同じであり、ノードは、自らのネットワーク内のノード（ＭｙＢＳＳノード）からＲＳＳＩ値を収集し４０２、最小のＲＳＳＩ値を決定し４０４、ローカルに計算された限度を最小のＲＳＳＩ値に基づいて決定する４０６（たとえば、デフォルトＯＢＳＳ＿ＰＤ閾値を減算することによって）。
【０１１０】
第２のフェーズでは、ノードは、それのローカルに計算された限度値、それの基準送信電力値、および、ネットワーク内のその他のノードに送信するために使用される送信電力を広告する４０８。
【０１１１】
第３のフェーズでは、ノードは、ネットワーク内のその他のノードによって広告された限度値を受信および記憶する４１２。ノードは、ネットワーク内のその他のノードによって広告された限度から選択された最小の限度値を決定する４１４。ノードが送信のために使用する限度値４１６は、次いで、更新されて、この最小の限度値にセットされる。新しい最小の限度値が受信されたとき、ノードは、それの送信限度値を継続的に更新する。同じように、ノードは、受信信号のＲＳＳＩ値に基づいて、それのローカルに計算された限度値を継続的に更新し、このローカルに計算された限度値をネットワーク内のその他のノードに広告する。したがって、ノードは、ネットワーク内のその他のノードによって広告された限度値からそれの送信限度値を選ぶので、広告される限度値は、実際に実装される限度値とはおそらく異なることになる。
【０１１２】
前述のように、方法２は、ネットワーク内のその他のノードによって広告された限度からノードの限度を選択する。したがって、その限度は、ネットワーク全体での最小の限度ではないが、ネットワーク内の他のノードの最小の限度（すなわち、そのノード自身のローカルに計算された限度を除く）である。これは、限度を低すぎる値にセットすることを回避する（すなわち、保守的になり過ぎることを回避する）。しかしながら、一代替手順では、限度は、広告された限度とそのノードのローカルに計算された限度とのうちの最小値にセットされる。
【０１１３】
図１３は、第２の方法による限度の計算を示す。これは、前述の第１の段階を示す。各局は、ネットワーク内のその他の局から信号を受信する。受信ＲＳＳＩ（Ｒｘ  ＲＳＳＩ）値は、各局に記憶される。各局は、ネットワークからの最小の受信ＲＳＳＩを計算し、これをデフォルトＯＢＳＳ＿ＰＤ閾値から減算する。これは、それぞれ、７ｄＢｍ、１６ｄＢｍおよび１４ｄＢｍという、ＳＴＡ−Ａ、ＳＴＡ−ＢおよびＳＴＡ−Ｃについてローカルに計算された限度を提供する。
【０１１４】
図１４は、第２の方法による限度の広告を示す。ＳＴＡ−Ａ、ＳＴＡ−ＢおよびＳＴＡ−Ｃの基準送信電力は、それぞれ、２３ｄＢｍ、１５ｄＢｍおよび１９ｄＢｍである。ＳＴＡ−Ａ、ＳＴＡ−ＢおよびＳＴＡ−Ｃのローカルに計算された限度は、それぞれ、７ｄＢｍ、１６ｄＢｍおよび１４ｄＢｍである。
【０１１５】
各ノードが、それの基準送信電力と、現在の送信において使用される送信電力と、それのローカルに計算された限度とを広告する。これらの値は、送信されるパケットのヘッダーにおいてネットワーク内のその他のノードに送られ得る。各ノードは、次いで、受信された限度の最小値を決定し、それ自身の送信電力調整限度をこの最小の値と等しくなるようにセットする。この場合、送信電力調整限度は、ＳＴＡ−Ａについては１４ｄＢｍ、ＳＴＡ−Ｂについては７ｄＢｍ、ＳＴＡ−Ｃについては７ｄＢｍにセットされることになる。図７に関して論じられたように、基準送信電力および実際の送信電力が、正しい最小ＭｙＢＳＳ  ＲＳＳＩ値が計算され得ることを確保するために、広告される。
【０１１６】
前述のように、各ノードは、それの限度を広告された限度値（すなわち、ネットワーク内のその他のノードによって計算された限度値）のうちの最小値にセットする。これは、ノードは同じ送信電力を使用して必ずしも送信されないことがあり、チャネル相互依存が妥当しないことがある（すなわち、順方向リンクにおけるチャネルは、逆方向リンクにおけるチャネルとは異なることがある）からである。
【０１１７】
図１４のシナリオでは、ＳＴＡ−ＡがＳＴＡ−Ｂから聞くことができる最も弱い信号は、−７５ｄＢｍのＲＳＳＩを有し、したがって、それのローカルに計算された限度は、７ｄＢｍである。これは、ＳＴＡ−Ｂに広告されて、ＳＴＡ−ＢにＳＴＡ−Ｂはそれの送信電力を７ｄＢｍよりも多く減らすべきではなく、そうでない場合、ＳＴＡ−ＡはＳＴＡ−Ｂをキャリア検知できないことになることを告げる。したがって、ローカルに計算された限度は、その他のノードにそれらがどんな限度を実施すべきかを伝えるために使用される。
【０１１８】
同様に、ＳＴＡ−Ｂによって聞かれる最も弱い信号は、−６６ｄＢｍでのＳＴＡ−Ｃからの信号である。これは、１６ｄＢｍという、ＳＴＡ−Ｂにおいてローカルに計算された限度をもたらす。したがって、ＳＴＡ−Ｂは、他のノードに１６ｄＢｍよりも多くそれらの送信電力を減らさないように命じ、そうでない場合、ＳＴＡ−Ｂはそれらのノードをキャリア検知することができない可能性がある。この場合、ＳＴＡ−Ａは、余分な１ｄＢｍのゆとりを潜在的に有し得る（すなわち、ＳＴＡ−Ａが、１７ｄＢｍだけ送信電力を減らしたとしても、ＳＴＡ−Ａは、まだＳＴＡ−Ｂで聞かれ得る）が、ＳＴＡ−Ｂは、信号伝達オーバーヘッドを低減するための保守的な値（最小の値）のみを広告する。そうでない場合、ＳＴＡ−Ｂは、ノード固有の限度値（ＳＴＡ−Ｃについての１６ｄＢｍとＳＴＡ−Ａについての１７ｄＢｍと）を広告しなければならないことになる。
【０１１９】
図１５および１６は、すべてのノードが、ＭｙＢＳＳにおいて既に集められた近隣情報を有し、それらの自己調整限度を識別したと想定して、方法２がどのように機能するかを示す。
【０１２０】
図１５は、第２の方法によるＯＢＳＳ＿ＰＤ閾値をセットするための第１のシナリオを示す。ＯＢＳＳ送信は、−６５ｄＢｍでＳＴＡ−Ａで聞くことができる。図１３および１４に関して論じられたように、ＳＴＡ−ＡのＴｘ電力更新限度は、１４ｄＢｍである。したがって、ＳＴＡ−Ａは、ＯＢＳＳ送信を排除するのに十分ではない−６８ｄＢｍ（−８２＋１４）を超えてそれのＯＢＳＳ＿ＰＤ閾値を増やすことはできない。したがって、ＳＴＡ−Ａは、ＳＲ送信に従事しないことを決定する。
【０１２１】
図１６は、第２の方法によるＯＢＳＳ＿ＰＤ閾値をセットするためのさらなるシナリオを示す。図１５に示されるシナリオとは対照的に、ＯＢＳＳ送信は、−７０ｄＢｍで聞かれることができる。調整限度を使用して、ＳＴＡ−Ａは、ＯＢＳＳ送信を除去するのに十分な−６８ｄＢｍ（−８２＋１４）にそれのＯＢＳＳ−ＰＤ閾値を増やすことができる。したがって、ＳＴＡ−Ａは、調整限度によって２３ｄＢｍから９ｄＢｍ（２３−１４）にそれの送信電力を減らし、ＳＲ送信に従事する。それはまた、それの基準Ｔｘ電力（２３ｄＢｍ）に加えて、更新されたＴｘ電力（９ｄＢｍ）とローカルに計算された限度値（７ｄＢｍ）とをＳＲ送信のパケットヘッダーにおいて広告する。調整限度は、ネットワーク内のその他のノードによって広告された限度から選択されるので、７ｄＢｍのローカルに計算された限度値は、ノードによって使用された１４ｄＢｍの調整限度とは異なることに留意されたい。
【０１２２】
前述の情報を広告することは、他のＭｙＢＳＳノードが、低減されたＲＳＳＩに注意し、そこからＳＲ送信に従事するＳＴＡが基準電力で送信する場合に実際のＲＳＳＩが何になるかを推定するのを助ける。ＲＳＳＩ外挿が、図１５においてＳＴＡ−ＢおよびＳＴＡ−Ｃの上に示される。これは、図５に関して論じられたのと同じ外挿方法であるが、デフォルト基準送信電力を適用する代わりに、ノードは、受信信号において広告された基準送信電力を適用する。したがって、推定ＲＳＳＩは：
【数３】
2018046554.tif 000006
【０１２３】
方法１と同様に、方法２における信号伝達要件が存在し、具体的には、パケットヘッダー内のいくつかのビットが、基準Ｔｘ電力と、現在のＴｘ電力と、ローカルに計算された限度値とを広告するために予約される必要がある。前述のように、Ｔｘ電力は、絶対値または基準電力値からのオフセット値のいずれかとして広告され得る。これは、実装形態に依存する。一般に、信号伝達される必要がある情報は、潜在的に、ＰＨＹヘッダーのＳＩＧＮＡＬ（ＳＩＧ）フィールドまたはＭＡＣヘッダーのいずれかに含まれ得る。
【０１２４】
やはり、前の方法と同様に、ＳＴＡ側からＡＰ側にオーバーヘッドのいくらかを移行するための余地が存在する。これは、すべてのＳＴＡがアソシエーション時間（ＡＰに接続するとき）にそれらの基準Ｔｘ電力をＡＰに報告することによって遂行され得る。ＡＰは、次いで、ビーコンを介して関連ＳＴＡおよびそれらの基準送信電力値のリストを広告し、それによって、ＳＴＡがパケットごとにこの情報を広告する必要性を取り除くことができる。
方法３：
方法２は、ノードが同種でない送信電力を使用し得るおよびチャネル相互依存が妥当し得ないシナリオに応じるが、本技法の実現は、追加のオーバーヘッド、具体的には、パケットごとの基準送信電力値、使用中の送信電力、および限度値の信号伝達の必要性と、そしてまた規格において同じもののサポートに同意する必要性とをもたらす。方法３は、前述の信号伝達要件の必要性を取り除き、それによって単純な実装形態をもたらす、代替手法を提案する。
【０１２５】
図１７は、一手順による送信電力を調整する第３の方法を示す。本方法の想定のいくつかは、方法１および２の想定と共通であり、たとえば、ノードは、ＭｙＢＳＳ送信のＲＳＳＩを測定し、これらの記録を維持する。追加で、ＭｙＢＳＳ送信の最小ＲＳＳＩが、限度値の計算に送り込まれる。この限度値は、次いで、送信電力適応を制限するために使用される（限度値が基準送信電力値未満であることを条件として）。
【０１２６】
「限度」のおおよその値が使用され得ることは留意する価値がある。限度は、空間再利用送信に従事する機会が存在するかどうかを調査するときにのみ必要とされるので、絶対精度は必要とされないことがある。限度の実際の値と推定される値の間の一時的不一致により起こり得る最悪の事態は、ノードがいくつかの空間再利用機会を失い得ることである。これは、いくらかの性能影響を有し得るが、一方で、それは、実装形態を著しく簡略化し、実際の展開の観点からは非常に望ましいことである。基本的に、それは、オーバーヘッド対性能のトレードオフである。
【０１２７】
空間再利用電力（ＳＲＰ）は、送信試行のために使用されることになる送信電力（Ｔ）と送信器での受信ＲＳＳＩ（Ｉ）との合計であるメトリックである。これは、送信のＳＩＧヘッダーを介して広告され得る。方法３における提案は、追加の信号伝達（既に広告され得るＳＲＰを超える）が回避され得るように、この特徴を活用することを目的とする。
【数４】
2018046554.tif 000007
【０１２８】
したがって、送信試行のＳＲＰは、その送信の意図された受信者から送信器によって受信される１つまたは複数の信号のＲＳＳＩに基づく。
【０１２９】
インフラストラクチャセットアップにおいて、２つのタイプの通信リンクが存在する：ＡＰからＳＴＡにまたはＳＴＡからＡＰに。したがって、ＳＲＰの計算は、いずれのタイプの送信についても非常に直接的であり、アクセスポイントと局の間の信号のＲＳＳＩに基づく。説明を目的として、図１７は、ノードペア間のＲＳＳＩの瞬時値の使用を示す。とはいえ、ノードペアの間のＲＳＳＩの瞬時値を使用する代わりに、平滑値（たとえば、移動平均などの平均値）もまたＳＲＰの計算において使用され得ると想定することは合理的である。重要な点は、ノードが送信電力制御（ＴＰＣ）を使用する場合、それが広告するＳＲＰの値は、ノードが基準送信電力（ＴＰＣではなく）を単に使用するときと比べて低くなるということである。そしてまた、ＴＰＣを使用するノードは、より低い送信電力を使用するので、受信者およびこれを漏れ聞く他のノードは、このノードからより弱い信号を受信することになり、したがって、それらが記録するＲＳＳＩは、ノードが基準電力で送信した場合に同じノードからそれらが聞くことになったであろうものよい低くなることになる。
【０１３０】
図１７は、実際のセッティングにおいて本方法がどのように機能するかを説明する。先の図のように、３つの局（ＳＴＡ−Ａ、ＳＴＡ−Ｂ、ＳＴＡ−Ｃ）とアクセスポイント（ＡＰ１）とが存在する。各ＳＴＡについて、基準Ｔｘ電力（Ｔ）は１９ｄＢｍである。各ＡＰについて、基準Ｔｘ電力（Ｔ）は２３ｄＢｍである。すべてのＡＰおよびＳＴＡについて、デフォルトＣＣＡ閾値（ＣＣＡｔ）は−８２ｄＢｍであり、デフォルトＯＢＳＳ＿ＰＤ閾値は−８２ｄＢｍであり、限度は、最小限ＭｙＢＳＳ  ＲＳＳＩ（Ｒ）とＯＢＳＳ＿ＰＤとの差として計算される：
【数５】
2018046554.tif 000008
【０１３１】
ノードが起動するとき、それらは、近隣情報を有さないことになり、したがって、−８２ｄＢｍのデフォルトＣＣＡ閾値およびＯＢＳＳ＿ＰＤ閾値を使用することになる。各ノード（ＡＰとＳＴＡの両方）は、ＭｙＢＳＳノードに関する情報（ノードＩＤ、ＳＲＰおよびＲＳＳＩなどであるが、これらに限定されない）を記録する表を保持する。ノード（ＡＰまたはＳＴＡ）が、ＭｙＢＳＳ送信を聞くとすぐに、それは、それの表においてこのノードに関する情報を更新する。
【０１３２】
図１８は、第３の方法によるノードがそれらのそれぞれの限度を決定するためのシーケンスを示す。本シナリオでは、ＳＴＡ−Ｃは、先ず、ＡＰ１（最上部左方）とアソシエーションを行い、ＡＰとのリンクのＲＳＳＩを学習し、それによって、それの限度と最小ＭｙＢＳＳ  ＲＳＳＩ値とをセットする。この場合、ＳＴＡ−ＣとＡＰ１の間の信号のＲＳＳＩ（Ｒ）は、−５５ｄＢｍであり、ＳＴＡ−Ｃの限度は：
【数６】
2018046554.tif 000009
【０１３３】
ＡＰ１でのＲＳＳＩはまた、−５５ｄＢｍであるので、ＡＰ１の限度はまた、２７ｄＢｍである。
【０１３４】
加えて、送信電力（Ｔ）は１９ｄＢｍであり、ＳＴＡ−ＣでのＡＰ１からの信号のＲＳＳＩ（Ｉ）は−５５ｄＢｍであるので、ＳＴＡ−Ｃの空間再利用電力（ＳＲＰ）は：
【数７】
2018046554.tif 000010
【０１３５】
次のステップでは、（最上部右方）ＳＴＡ−Ａが、現れ、ＡＰ１とアソシエーションを行い、続いて、アクセスポイントとの送信に従事する。ＳＴＡ−Ｃがこれらの送信を漏れ聞き、ＳＴＡ−Ａから受信された信号のＲＳＳＩ値を含むようにそれの表を更新することになる。この場合、ＳＴＡ−ＣによってＳＴＡ−Ａから受信される信号のＲＳＳＩは、−６５ｄＢｍである。この値は、ＡＰ１からの信号のＲＳＳＩより低いので、ＳＴＡ−Ｃは、それの最小ＭｙＢＳＳ  ＲＳＳＩ値をこの値（最小ＭｙＢＳＳ  ＲＳＳＩ＝−６５ｄＢｍ）に更新する。これは、限度が以下に更新される結果をもたらす：
【数８】
2018046554.tif 000011
【０１３６】
同様に、ＳＴＡ−Ｃが、ＡＰ１との送信に従事するとき、ＳＴＡ−Ａは、これらの送信を漏れ聞き、それの表を更新する。同じように、ＡＰ１はまた、信号を受信する度にそれの表を更新することになる。これらのエンティティの値は：
ＡＰ１：
【数９】
2018046554.tif 000012
ＳＴＡ−Ａ
【数１０】
2018046554.tif 000013
【０１３７】
次のステップ（底部）では、ＳＴＡ−Ｂが、現れ、ＡＰとアソシエーションを行い、同じ手順を踏む。ＳＴＡ−Ｂについて：
【数１１】
2018046554.tif 000014
【０１３８】
ノードは、無線近隣を図に表すので、それらは、限度値を適応させる。たとえば、ＳＴＡ−Ａが、ＳＴＡ−Ｃを漏れ聞くとき、それは、それの限度値を以下に更新する：
【数１２】
2018046554.tif 000015
【０１３９】
ＳＴＡ−Ａは、続いて、この限度値を使用して、ＳＲに従事することができる。後で、ＳＴＡ−Ｂが現れ、ＳＴＡ−Ａが−７５ｄＢｍでＳＴＡ−Ｂからの送信を漏れ聞くとき、ＳＴＡ−Ａは、それの限度値を以下に更新する：
【数１３】
2018046554.tif 000016
【０１４０】
同じように、ＳＴＡ−Ｃは、−７０ｄＢｍでＳＴＡ−Ｂからの送信を漏れ聞き、それの限度を以下に更新する：
【数１４】
2018046554.tif 000017
【０１４１】
したがって、しばらくしてから（ノードが、ネットワークに追加されるのが停止した後）、すべてのノードでの限度値は、安定する。
【０１４２】
各送信の間、各ノードは、その送信のＳＲＰ値（すなわち、現在の送信電力と意図された受信器、たとえばアクセスポイント、から受信された信号のＲＳＳＩとに関連するＳＲＰ値）を広告する。稼働フェーズの間、ノードが、送信を聞く／漏れ聞くとき、ノードは、それらの表においてその送信器に対応するＳＲＰ値を更新することができる。ノードは、それらのノードが従事する送信が空間再利用送信であるかどうかを明示的に信号伝達しないので、主要課題は、表が非ＳＲ送信についてのみ更新され得るように、これを確認することである。これは、前述した論理を使用して、黙示的に遂行される：すなわち、空間再利用送信のために使用される送信電力は通常送信のそれよりも通常は低いので、空間再利用送信のＳＲＰよりも通常送信のＳＲＰは高く、および／または、受信信号のＲＳＳＩは、基準電力でのそれよりＳＲ送信では低い。これを区別する必要性は、以下の理由から重要である。ノードが、通常送信に従事する（すなわち、基準Ｔｘ電力で）とき、別のノードで漏れ聞かれるそれのＲＳＳＩは、Ｘである。同ノードが、空間再利用送信に従事するとき、それのＲＳＳＩは、今度は、Ｙになることになる（但し、Ｙ＜Ｘ）。漏れ聞くノードが、それの最小ＭｙＢＳＳ  ＲＳＳＩを更新するときにＹという低減されたＲＳＳＩを使用しようとした場合、より低いＴｘ電力値でのこのＭｙＢＳＳ送信は空間再利用試行であるので、そのとき、それが計算する限度は、不正確（保守的）になることになる。実際には、漏れ聞くノードは、それが基準送信電力での送信を漏れ聞く場合に、それの最小ＭｙＢＳＳ  ＲＳＳＩ（したがって、限度値）を単に更新するべきである。
【０１４３】
送信を聞く／漏れ聞くノードは、それらが聞く最初のＳＲＰ値をキャッシュすることになる。それらが、キャッシュされた値より低い同ノードからのＳＲＰ値を有するおよび／またはキャッシュされた値より低いＲＳＳＩを有する信号を聞いた場合、これは空間再利用送信であると決定され、それらは、それらの表においてＳＲＰおよびＲＳＳＩエントリを更新しないことになる。他方で、聞かれたＳＲＰ値が、キャッシュされたＳＲＰ値以上である場合、漏れ聞くノードは、直ちに、このノードに対応するそれらの表におけるＳＲＰとＲＳＳＩ入力の両方を更新し、それらの限度値を更新することになる。したがって、ネットワーク内のすべてのノードでの限度値は、最新であり続け、最終的に安定することになる。限度値が、基準送信電力値よりも偶然高かった場合、その限度によって送信電力を減らすことは、回避されなければならない負の送信電力値を生じさせることになるので、ノードは、ＳＲ送信を試みないことがあることにも留意されたい。
【０１４４】
ＡＰに関して、ＡＰは、すべてのＭｙＢＳＳノードにビーコンを介して各ＡＰ−ＳＴＡリンクのそれの通常ＳＲＰを通知し得る。新しいノードがＡＰとアソシエーションを行う、または既存のノードがネットワークを離れる度に、それは、それに応じて、それの最小ＭｙＢＳＳ  ＲＳＳＩを更新し、新しい／失効したリンクのＳＲＰ値を広告することができる。ネットワーク内の各送信は、その送信のＳＲＰ値を含む（たとえば、ヘッダー内に）。これは、ＳＲＰのキャッシュされたおよび観測された値に基づいて、所与の送信がＳＲ送信であるかどうかを各ノードが決定することを可能にする。
【０１４５】
一般に、ＳＲＰ値に依拠することによって、送信試行が空間再利用試行であるかどうかを広告するための追加の信号伝達を含める必要性は取り除かれる。とはいえ、パケットヘッダーが、空間的再利用試行（たとえば、基準電力でのＴｘを指示する０および低減された電力でのＴｘを指示する１を有する単一ビット）を信号伝達するために使用され得る場合、そのような明示的信号伝達は、推定の必要性をなくすることになる。明示的信号伝達を回避する利点は、これが、提案されている方法のオーバーヘッドを減らし（方法１および２と比較して）、実装形態を簡略化するということである。さらに、本方法は、ネットワーク内のノードが同じ／異なる送信電力値を使用するかどうかに関わりなく機能する。
【０１４６】
空間再利用に従事するかどうかの実際の決定に関して、方法１および２において適用されたのと同じ論理が使用され、それぞれ、図１９および図２０に示される。すなわち、ＯＢＳＳ送信が、限度を超えて送信電力を低減することなく克服され得る場合、件のノードは、空間再利用送信に従事することになる。そうでない場合、そのノードは、空間再利用送信に従事しないことになる。加えて、前述のように、限度値が、基準送信電力値より大きい場合、ノードは、ＳＲ送信に従事することを控えることになる。
【０１４７】
図１９は、ノードが空間再利用送信に従事しない第３の方法による一手順を示す。ノードの配置および送信強度は、図１８のものと同等である。３つのノードの各々は、そのノードによって受信された信号のＲＳＳＩおよびＳＲＰを含む表を保持する。２つのノードの間の通信の所与のノードのＲＳＳＩ値は、それらの２つのノードが互いに通信するときに所与のノードで記録されたＲＳＳＩ値である。ＳＲＰ値は、ネットワーク内の信号が漏れ聞かれたときにキャッシュされたものである（各信号は自らのＳＲＰ値を含む）。前述のように、所与のノードについて記憶されたＲＳＳＩおよびＳＲＰ値は、現在記憶されているＳＲＰ値より高いＳＲＰ値を有する送信が漏れ聞かれた場合、および／または測定ＲＳＳＩが、このノードに対応する表の中の測定ＲＳＳＩより大きい場合にのみ、表において更新される。
【０１４８】
近隣ネットワークは、ＯＢＳＳ送信を送信するノード（Ｃｘ）を有する。これは、−７１ｄＢｍという、ＳＴＡ−ＡでのＲＳＳＩを有する。ＯＢＳＳ送信を克服し、同時にＳＲ送信に従事するために、ＳＴＡ−Ａは、（−７１−（−８２）＋１）＝１２ｄＢｍだけそれのＯＢＳＳ＿ＰＤ閾値を増やし、同量だけそれの送信電力を減らす必要があるが、７ｄＢｍの限度（図１８を参照）は、送信電力におけるこの必要とされる減少より小さいので、ＳＴＡ−Ａは、ＳＲ送信に従事しないことになる。
【０１４９】
図２０は、ノードが空間再利用送信に従事する第３の方法による一手順を示す。図１９のように、各ノードは、各通信リンクの記録されたＲＳＳＩおよびＳＲＰの表を保持する。この場合、ＯＢＳＳ送信のＲＳＳＩは、−７８ｄＢｍである。したがって、ＯＢＳＳ  ＲＳＳＩとデフォルトＯＢＳＳ＿ＰＤ閾値との差は、４ｄＢｍである。これは７ｄＢｍのＳＴＡ−Ａの限度より少ないので、ＳＴＡ−Ａは、５ｄＢｍだけそれのＯＢＳＳ＿ＰＤを増やしてＯＢＳＳ送信を除去することができる。同時に、ＳＴＡ−Ａは、それがＣｘによって聞かれないように、５ｄＢｍだけそれの送信電力を減らす。この場合、送信電力は、１９ｄＢｍから１４ｄＢｍに減らされることになる。
【０１５０】
送信電力の低減は、ＳＴＡ−Ａの限度内であるので、ＳＴＡ−Ａは、次いで、他のＭｙＢＳＳノードで依然として聞かれ得るＳＲ送信に従事する。送信電力は５ｄＢｍだけ減らされたが、ＡＰ１からＳＴＡ−Ａによって受信される信号の強度の変更はなかったので、ＳＴＡ−ＡからＡＰ１へのＳＲ送信のＳＲＰは、５ｄＢｍだけ低減される：
【数１５】
2018046554.tif 000018
【０１５１】
新しいＳＲＰ値が、ＳＲ送信のヘッダーにおいて広告される。ＳＲ送信が、アクセスポイント（ＡＰ１）で受信され、受信確認（ＡＣＫ）される。
【０１５２】
信号に含まれる新しいＳＲＰ値は、ＡＰで表において現在キャッシュされた−４１ｄＢｍの値（ネットワークが初期化されたときに決定された）より少ないので、ＡＰは、送信がＳＲ送信であると決定し、したがって、それの表におけるそれぞれのＳＲＰ値を更新しない。同じように、ＲＳＳＩ値は、この通信リンクの表において記憶されたものより少ないので、ＲＳＳＩ値も更新されない。同じ理由で、この通信を漏れ聞くＳＴＡ−ＢおよびＳＴＡ−Ｃはまた、送信はＳＲ送信であると決定し、それらのそれぞれの表における同等の値の更新を控える。
【０１５３】
方法３の一部として記載された提案は、ＳＲＰ値が各ユニキャストパケットで広告されると想定する。
【０１５４】
図２１は、一手順による第３の方法を示す。ノードは、アクセスポイント（ＡＰ）とアソシエーションを行うこと４５２によって開始する。アソシエーションの間、ノードは、アクセスポイントからいくつかのアソシエーション応答を受信することになる。加えて、ノードは、ネットワーク内の他のノードからの信号を漏れ聞き得る。ノードは、各ＲＳＳＩ値をネットワーク内の対応する他のノードと関連付けて、ネットワーク内の信号（アクセスポイントからの信号を含む）のＲＳＳＩ値を表に記憶する４５４。
【０１５５】
加えて、ノードは、アクセスポイントに送信するためのＳＲＰを計算および記憶する。他のノードからのそのノードによって漏れ聞かれる任意の信号は、それらのヘッダーにＳＲＰ値を含むことになる。したがって、ノードはまた、ネットワークにおいて送信する他のノードそれぞれに関連するＳＲＰ値を記憶する。
【０１５６】
ノードは、前述のように最小のＲＳＳＩ値（最小ＭｙＢＳＳ  ＲＳＳＩ）に基づいてそれの限度を決定する４５６。ノードは、次いで、それのＳＲＰ値をヘッダーに含めて、アクセスポイントと通信する４５８。
【０１５７】
ノードが、ネットワーク内の他のノードからのさらなる通信を聞く４６２とき、そのノードは、先ず、それがそれぞれのノードについてＲＳＳＩおよびＳＲＰ値を記憶しているかどうかを検査する。通信が、新しいノード（表に記憶された値を有さない）から受信された場合、ノードは、表にＲＳＳＩおよびＳＲＰ値を追加する。値が、所与の送信ノードについて表内に既に存在する場合、ノードは、その送信に含まれたＳＲＰがそのノードについて記憶されたＳＲＰ値より大きいかどうかを検査する４６４。新しいＳＲＰ値が、より大きくない場合、次いで、ノードは、その送信はＳＲ送信であると決定し、したがって、表内の対応する値を更新しない。ＳＲＰ値が、より大きい場合、次いで、表内の対応するＲＳＳＩおよびＳＲＰ値が、更新される４６８。ノードは、次いで、新しい最小のＲＳＳＩ値が見つけられたか４７０（すなわち、新しいＲＳＳＩ値が、前に記憶されたＲＳＳＩ値のいずれかより小さいかどうか）を決定する。そうでない場合、ノードの限度は、同じに保たれる４７２。そうである場合、次いで、限度４７４は、新しい最小ＭｙＢＳＳ  ＲＳＳＩを使用して、更新される。
【０１５８】
したがって、第３の方法は、各メッセージにおいて送信されるＳＲＰを各ノードに追跡し続けさせることによって、それのデフォルトおよび現在の送信電力を各ノードが送信する必要性を避ける。記憶された値より低いＳＲＰを有する任意の送信は、空間再利用送信であると想定され、したがって、限度の計算の目的では無視される。
【０１５９】
図２２は、一手順による（ａ）無線局５００と、（ｂ）ワイヤレスアクセスポイント６００とを示す。局５００は、ワイヤレスネットワークインターフェース５１０と、メモリ５３０と、クリアチャネルアセスメント（ＣＣＡ）モジュール５２２を備えるコントローラ５２０とを備える。ワイヤレスネットワークインターフェース５１０は、アンテナ５１５に結合される。ワイヤレスネットワークインターフェース５１０は、無線周波数スペクトルにおいて定義された複数の無線周波数チャネルのうちの１つまたは複数のチャネルでアンテナ５１５を使用して、信号を送るおよび受信するように動作可能である。コントローラ５２０は、たとえば、本明細書に記載されるように局またはアクセスポイントに、通信プロトコルに従って信号を送るおよび受信するようにワイヤレスネットワークインターフェース５１０を管理するように構成される。ＣＣＡモジュール５２２は、アクセスポイント６００でのフレーム衝突を減らすために、いつチャネルがクリアであるかを決定するように構成される。コントローラ５２０は、明細書に記載された機能を実行するようにコントローラに命令するためのコンピュータ可読コードを記憶するメモリ５３０と通信接続されている。
【０１６０】
アクセスポイント６００は、ワイヤレスネットワークインターフェース６１０と、メモリ６３０と、クリアチャネルアセスメント（ＣＣＡ）モジュール６２２を備えるコントローラ６２０とを備える。ワイヤレスネットワークインターフェース６１０は、アンテナ６１５に結合される。アクセスポイント６００は、アクセスポイント６００が、たとえばイーサネット（登録商標）接続を介して、ワイヤードネットワークに接続するように構成されたワイヤードネットワークインターフェース６４０を含むことを除いて、局５００と酷似して機能する。アクセスポイント６００は、ワイヤードネットワークへのアクセスを無線局５００に提供するように構成される。
【０１６１】
コントローラ５２０および６２０は、ワイヤレスネットワーク内のノードとの接続を管理するように構成される。本明細書で論じられるように、コントローラ５２０および６２０は、ＯＢＳＳ＿ＰＤ閾値を変化させて近隣のワイヤレスネットワークからの干渉を避けるために、動的感度制御（ＤＳＣ）を実装する。アクセスポイント６００および局５００の送信電力はまた、近隣ネットワークとの干渉を減らすために変化させられる。コントローラ５２０および６２０は、本明細書に記載された方法を実装して、ＯＢＳＳ＿ＰＤ閾値および送信電力が、ネットワーク内の衝突を避けるために、変化させられ得る、量を制限する。
【０１６２】
アクセスポイント６００および局５００のモジュールによって実行される本方法は、本明細書でさらに詳しく説明される。これらの方法は、局５００およびアクセスポイント６００のメモリ５３０および６３０においてそれぞれ記憶され得る、そしてそれぞれのコントローラ５２０および６２０（またはそれらのそれぞれのＣＣＡモジュール５２２および６２２）によって実行されるときに記載された方法を実現する、ソフトウェアまたはファームウェアコードによって実装されることが理解されよう。
【０１６３】
コントローラ５２０および６２０の一部を形成するモジュール５２２および６２２の任意の参照は、限定することを意図されておらず、そうではなくて、対応するソフトウェア／ファームウェア命令を実行するときに、それぞれコントローラ５２０および６２０によって実現される動作／方法として理解されることが意図されている。加えて、コントローラ５２０および６２０の任意の参照は、限定することを意図されておらず、そうではなくて、計算タスクを実行する能力を有するプロセッサなどのハードウェア構成要素として理解されることが意図されている。
【０１６４】
前述のように、ワイヤレスノードにおいてＤＳＣを実装することおよび同等の量により送信電力を減らすことは、ネットワーク性能の改善と、近隣ネットワークからの干渉の低減とをもたらし得るが、それはまた、ネットワーク内の衝突の数の増加をもたらし得る。一手順は、それより下にノードの送信電力が下げられ得ない、限度が各ノードについてセットされる方法を実装する。これは、ネットワーク内のノードが依然として互いを聞くことができることを確保し、したがって、競合する送信間の衝突を防ぐ。
【０１６５】
前述の手順は、ＲＳＳＩ値の使用を論じるが、受信信号の強度および／または電力の任意の他の指示が、どこまで送信電力が低減され得るかの限度をセットするために使用され得る。
【０１６６】
ある特定の手順が、説明されたが、手順は、単に例として提示されてあり、本発明の範囲を限定することは意図されていない。実際に、本明細書に記載された新しい方法およびデバイスは、様々な他の形で実施することができ、さらに、本明細書に記載された方法およびシステムの形態における様々な省略、置換、および変更が行われ得る。
【図１】
2018046554.tif 000019
【図２】
2018046554.tif 000020
【図３】
2018046554.tif 000021
【図４】
2018046554.tif 000022
【図５】
2018046554.tif 000023
【図６（ａ）】
2018046554.tif 000024
【図６（ｂ）】
2018046554.tif 000025
【図７】
2018046554.tif 000026
【図８】
2018046554.tif 000027
【図９】
2018046554.tif 000028
【図１０】
2018046554.tif 000029
【図１１】
2018046554.tif 000030
【図１２】
2018046554.tif 000031
【図１３】
2018046554.tif 000032
【図１４】
2018046554.tif 000033
【図１５】
2018046554.tif 000034
【図１６】
2018046554.tif 000035
【図１７】
2018046554.tif 000036
【図１８】
2018046554.tif 000037
【図１９】
2018046554.tif 000038
【図２０】
2018046554.tif 000039
【図２１】
2018046554.tif 000040
【図２２（ａ）】
2018046554.tif 000041
【図２２（ｂ）】
2018046554.tif 000042
【外国語明細書】
2018046554000001.pdf